(57)【要約】  使い捨て吸収性物品は、トップシートと、バックシートと、トップシートとバックシートとの間に配置された吸収性コアと、を含むシャーシと、脚部ガスケットシステムと、少なくとも１つの腰部ガスケット要素と、を含んでよい。脚部ガスケットシステムは、内側カフと、外側カフと、を含んでよく、材料ウェブが、横方向外側に折り畳まれて内側カフの折り畳まれた縁部を形成するように、内側カフは、内側カフの折り畳まれた縁部と、内側カフの材料縁部と、を含んでよく、外側カフは、外側カフの材料縁部を含んでよい。脚部ガスケットシステムはまた、脚部ガスケットシステムポケットの内側長手方向縁部に開口部を有する脚部ガスケットシステムポケットを含んでよい。
2018512212.tif 000002
【特許請求の範囲】
【請求項１】
着用者の胴体下部の周囲に着用するための使い捨て吸収性物品であって、前記使い捨て吸収性物品が、第１腰部領域と、第２腰部領域と、前記第１腰部領域と前記第２腰部領域との間に配置された股部領域と、第１腰部縁部と、第２腰部縁部と、第１長手方向縁部と、第２長手方向縁部と、を備え、前記使い捨て吸収性物品が、
１．）トップシートと、
２．）バックシートと、
３．）前記トップシートと前記バックシートとの間に配置された吸収性コアと、
４．）脚部ガスケットシステムと、
５．）少なくとも１つの腰部ガスケット要素と、を備え、
前記脚部ガスケットシステムが、内側カフ及び外側カフの一部を形成する材料ウェブを備え、
前記内側カフが、内側カフの折り畳まれた縁部と、内側カフの材料縁部と、を備え、前記外側カフが、外側カフの材料縁部を備え、前記材料ウェブが、横方向外側に折り畳まれて前記内側カフの折り畳まれた縁部を形成し、
前記外側カフの材料縁部と前記内側カフの折り畳まれた縁部との間の前記材料ウェブの少なくとも一部が、前記第１腰部領域、前記第２腰部領域、及び前記股部領域において前記バックシートに取り付けられ、前記内側カフの折り畳まれた縁部と前記外側カフの材料縁部との間の前記材料ウェブの少なくとも一部が、前記股部領域及び前記第１腰部領域において前記トップシートに取り付けられ、前記内側カフの折り畳まれた縁部と前記外側カフの材料縁部との間の前記材料ウェブが、前記第２腰部領域の少なくとも一部において前記トップシートに取り付けられず、脚部ガスケットシステムポケットを形成し、前記脚部ガスケットシステムポケットが、前記脚部ガスケットシステムポケットの内側長手方向縁部に開口部を備え、
前記少なくとも１つの腰部ガスケット要素が、内側横方向縁部と、外側横方向縁部と、２つの長手方向縁部と、を有し、前記少なくとも１つの腰部ガスケット要素が、少なくとも１つの弾性材料を備え、
前記腰部ガスケット要素の前記外側横方向縁部の少なくとも一部が前記シャーシに取り付けられ、前記腰部ガスケット要素の前記外側横方向縁部の少なくとも一部が前記脚部ガスケットシステムを形成する前記材料ウェブに取り付けられるように、前記少なくとも１つの腰部ガスケット要素が、１）前記使い捨て吸収性物品の前記シャーシ、及び２）前記脚部ガスケットシステムに取り付けられ、前記腰部ガスケット要素の前記内側横方向縁部が前記使い捨て吸収性物品の前記シャーシに取り付けられない、使い捨て吸収性物品。
【請求項２】
前記腰部ガスケット要素の前記少なくとも１つの弾性材料が弾性ストランドである、請求項１に記載の使い捨て吸収性物品。
【請求項３】
前記腰部ガスケット要素が、少なくとも４つの弾性ストランドを備える、請求項１又は２に記載の使い捨て吸収性物品。
【請求項４】
前記腰部ガスケット要素の前記少なくとも１つの弾性材料が弾性フィルム又は弾性不織布である、請求項１〜３のいずれか一項に記載の使い捨て吸収性物品。
【請求項５】
前記腰部ガスケット要素の前記外側横方向縁部が、前記使い捨て吸収性物品の前記第２腰部縁部と隣接している、請求項１〜４のいずれか一項に記載の使い捨て吸収性物品。
【請求項６】
前記腰部ガスケット要素の前記内側横方向縁部の少なくとも一部が、前記脚部ガスケットシステムに取り付けられる、請求項１〜５のいずれか一項に記載の使い捨て吸収性物品。
【請求項７】
前記腰部ガスケット要素の前記２つの長手方向縁部のそれぞれの少なくとも一部が、前記脚部ガスケットシステムに取り付けられる、請求項１〜６のいずれか一項に記載の使い捨て吸収性物品。
【請求項８】
前記腰部ガスケット要素の前記２つの長手方向縁部のそれぞれの全長が、前記脚部ガスケットシステムに取り付けられる、請求項１〜７のいずれか一項に記載の使い捨て吸収性物品。
【請求項９】
前記腰部ガスケット要素が、前記脚部ガスケットシステムが前記腰部ガスケット要素と重なり合う領域の実質的に全体で前記脚部ガスケットシステムに取り付けられる、請求項１〜８のいずれか一項に記載の使い捨て吸収性物品。
【請求項１０】
前記腰部ガスケット要素の前記少なくとも１つの弾性材料が、対応の腰部領域が完全に広げられたときに部分的にしか広げられない、請求項１〜９のいずれか一項に記載の使い捨て吸収性物品。
【請求項１１】
前記腰部ガスケット要素の前記少なくとも１つの弾性材料が、対応の腰部領域が完全に広げられたときに部分的にしか広げられない、請求項１〜１０のいずれか一項に記載の使い捨て吸収性物品。
【請求項１２】
前記脚部ガスケットシステムポケットの前記開口部が長手方向に５ｍｍ〜１００ｍｍである、請求項１〜１１のいずれか一項に記載の使い捨て吸収性物品。
【請求項１３】
前記脚部ガスケットシステムポケットが弾性部材を含まない、請求項１〜１２のいずれか一項に記載の使い捨て吸収性物品。
【請求項１４】
前記脚部ガスケットシステムポケットが、１つ、又は２つ以上のスナップバック弾性部材を含む、請求項１〜１３のいずれか一項に記載の使い捨て吸収性物品。
【請求項１５】
前記脚部ガスケットシステムポケットが、前記吸収性物品の前記第２腰部縁部に沿って一連の間欠結合部を有する、請求項１〜１４のいずれか一項に記載の使い捨て吸収性物品。
【発明の詳細な説明】
【技術分野】
【０００１】
本発明は、改善された機能（例えば、漏れの低減、糞便物質の封入性）をもたらす改善されたレッグカフを有する吸収性物品（例えば、おむつ、成人用失禁物品、婦人衛生パッド）に関する。 
【背景技術】
【０００２】
吸収性物品の最も一般的な失敗様式は、物品と着用者の脚部及び／又は腰部との間の隙間から身体排出物が漏れ出すときに生じる。糞便物質（例えば、粘性の低い排便、排便と尿との混合物など）が、吸収性物品のトップシート及びコアに吸収されない場合、糞便物質は、物品と着用者の脚部又は腰部との隙間から漏れ出し得る。着用者が、尿よりもゆっくりと吸収性コアに吸収される糞便物質をより多量に排出する場合、糞便物質は、吸収性物品の身体側の表面に沿って横方向に移動し、バリアレッグカフに達することがある。糞便物質はまた、バリアレッグカフに沿って長手方向に、又は腰部に向かって着用者の殿溝（gluteal grove）を上長手方向に移動することがある。着用者の動作、並びに／又はバリアカフの下及び／又は吸収性物品内の利用可能空間不足により、糞便物質は、物品と着用者の脚部及び／又は腰部との隙間から漏れ出すことがある。これにより、着用者の衣類又は着用者の漏れた吸収性物品と接触する他の物品（例えば、寝具類、家具、介護者の衣類など）を汚す、濡らす、又は他の方法で汚染する。
【発明の概要】
【発明が解決しようとする課題】
【０００３】
したがって、汚れた使い捨て吸収性物品が取り外されたときに着用者をより容易に清浄しつつ、身体排出物の漏れによる悪影響を最小限に抑えることができる、採算の合う使い捨て吸収性物品を提供することに引き続き関心が持たれている。そのために、十分な保持能力を有して、期待される物品使用期間にわたって、身体排出物を着用者の衣類及び／又は皮膚から離して安全かつ清潔に保持する、使い捨て吸収性物品を提供することに引き続き関心が持たれている。
【課題を解決するための手段】
【０００４】
一態様では、着用者の胴体下部の周囲に着用するための使い捨て吸収性物品は、第１腰部領域と、第２腰部領域と、第１腰部領域と第２腰部領域との間に配置された股部領域と、第１腰部縁部と、第２腰部縁部と、第１長手方向縁部と、第２長手方向縁部と、を含み、この使い捨て吸収性物品は、トップシートと、バックシートと、トップシートとバックシートとの間に配置された吸収性コアと、脚部ガスケットシステムと、少なくとも１つの腰部ガスケット要素と、を含み、脚部ガスケットシステムは、内側カフ及び外側カフの一部を形成する材料ウェブを含み、内側カフは、内側カフの折り畳まれた縁部と、内側カフの材料縁部と、を含み、外側カフは、外側カフの材料縁部を含み、材料ウェブは、横方向外側に折り畳まれて内側カフの折り畳まれた縁部を形成し、外側カフの材料縁部と内側カフの折り畳まれた縁部との間の材料ウェブの少なくとも一部は、第１腰部領域、第２腰部領域、及び股部領域においてバックシートに取り付けられ、内側カフの折り畳まれた縁部と外側カフの材料縁部との間の材料ウェブの少なくとも一部は、股部領域及び第１腰部領域においてトップシートに取り付けられ、内側カフの折り畳まれた縁部と外側カフの材料縁部との間の材料ウェブは、第２腰部領域の少なくとも一部においてトップシートに取り付けられず、脚部ガスケットシステムポケットを形成し、脚部ガスケットシステムポケットは、脚部ガスケットシステムポケットの内側長手方向縁部に開口部を含み、少なくとも１つの腰部ガスケット要素は、内側横方向縁部、外側横方向縁部、及び２つの長手方向縁部を有し、少なくとも１つの腰部ガスケット要素が、少なくとも１つの弾性材料を備え、腰部ガスケット要素の外側横方向縁部の少なくとも一部はシャーシに取り付けられ、腰部ガスケット要素の外側横方向縁部の少なくとも一部は脚部ガスケットシステムを形成する材料ウェブに取り付けられるように、少なくとも１つの腰部ガスケット要素は、１）使い捨て吸収性物品のシャーシ、及び２）脚部ガスケットシステムに取り付けられ、腰部ガスケット要素の内側横方向縁部は使い捨て吸収性物品のシャーシに取り付けられない。
【０００５】
別の態様では、着用者の胴体下部の周囲に着用するための使い捨て吸収性物品は、第１腰部領域と、第２腰部領域と、第１腰部領域と第２腰部領域との間に配置された股部領域と、第１腰部縁部と、第２腰部縁部と、第１長手方向縁部と、第２長手方向縁部と、を含み、この使い捨て吸収性物品は、トップシートと、バックシートと、トップシートとバックシートとの間に配置された吸収性コアと、脚部ガスケットシステムと、少なくとも１つの腰部ガスケット要素と、を含み、脚部ガスケットシステムは、内側カフと、外側カフと、を含み、外側カフはバックシート及び別個の材料ウェブから形成され、脚部ガスケットシステムは、第１腰部縁部から第２腰部縁部まで延在し、材料ウェブの少なくとも一部は、第１腰部領域、第２腰部領域、及び股部領域においてバックシートに取り付けられ、ウェブ材料の少なくとも一部は、股部領域及び第１腰部領域においてトップシートに取り付けられ、材料ウェブは、第２腰部領域の少なくとも一部においてトップシートに取り付けられず、脚部ガスケットシステムポケットの内側長手方向縁部に開口部を有する脚部ガスケットシステムポケットを形成し、少なくとも１つの腰部ガスケット要素は、内側横方向縁部、外側横方向縁部、及び２つの長手方向縁部を有し、少なくとも１つの腰部ガスケット要素が、少なくとも１つの弾性材料を備え、腰部ガスケット要素の外側横方向縁部の少なくとも一部はシャーシに取り付けられ、腰部ガスケット要素の外側横方向縁部の少なくとも一部は脚部ガスケットシステムを形成する材料ウェブに取り付けられるように、少なくとも１つの腰部ガスケット要素は、１）使い捨て吸収性物品のシャーシ、及び２）脚部ガスケットシステムに取り付けられ、腰部ガスケット要素の内側横方向縁部は使い捨て吸収性物品のシャーシに取り付けられない。
【０００６】
別の態様では、着用者の胴体下部の周囲に着用するための使い捨て吸収性物品は、第１腰部領域と、第２腰部領域と、第１腰部領域と第２腰部領域との間に配置された股部領域と、第１腰部縁部と、第２腰部縁部と、第１長手方向縁部と、第２長手方向縁部と、を含み、この使い捨て吸収性物品は、トップシートと、バックシートと、トップシートとバックシートとの間に配置された吸収性コアと、脚部ガスケットシステムと、少なくとも１つの腰部ガスケット要素と、を含み、脚部ガスケットシステムは、内側カフと、外側カフと、を含み、外側カフは、少なくとも１つの長手方向に方向付けられた弾性部と、内側長手方向縁部及び外側長手方向縁部を含む脚部ガスケットシステムポケットと、を含み、第２腰部領域の少なくとも一部において、脚部ガスケットシステムポケットは、内側長手方向縁部に沿って開口部を含み、少なくとも１つの腰部ガスケット要素は、内側横方向縁部と、外側横方向縁部と、２つの長手方向縁部と、を有し、少なくとも１つの腰部ガスケット要素が、少なくとも１つの弾性材料を備え、腰部ガスケット要素の外側横方向縁部の少なくとも一部はシャーシに取り付けられ、腰部ガスケット要素の外側横方向縁部の少なくとも一部は脚部ガスケットシステムを形成する材料ウェブに取り付けられるように、少なくとも１つの腰部ガスケット要素は、１）使い捨て吸収性物品のシャーシ、及び２）脚部ガスケットシステムに取り付けられ、腰部ガスケット要素の内側横方向縁部は使い捨て吸収性物品のシャーシに取り付けられない。
【０００７】
別の態様では、パッケージは、着用者の胴体下部の周囲に着用するための使い捨て吸収性物品を少なくとも１０個含み、この使い捨て吸収性物品は、第１腰部領域と、第２腰部領域と、第１腰部領域と第２腰部領域との間に配置された股部領域と、第１腰部縁部と、第２腰部縁部と、第１長手方向縁部と、第２長手方向縁部と、を含み、この使い捨て吸収性物品は、トップシートと、バックシートと、トップシートとバックシートとの間に配置された吸収性コアと、脚部ガスケットシステムと、少なくとも１つの腰部ガスケット要素と、を含み、脚部ガスケットシステムは、内側カフ及び外側カフの一部を形成する材料ウェブを含み、内側カフは、内側カフの折り畳まれた縁部と、内側カフの材料縁部と、を含み、外側カフは、外側カフの材料縁部を含み、材料ウェブは、横方向外側に折り畳まれて内側カフの折り畳まれた縁部を形成し、外側カフの材料縁部と内側カフの折り畳まれた縁部との間の材料ウェブの少なくとも一部は、第１腰部領域、第２腰部領域、及び股部領域においてバックシートに取り付けられ、内側カフの折り畳まれた縁部と外側カフの材料縁部との間の材料ウェブの少なくとも一部は、股部領域及び第１腰部領域においてトップシートに取り付けられ、内側カフの折り畳まれた縁部と外側カフの材料縁部との間の材料ウェブは、第２腰部領域の少なくとも一部においてトップシートに取り付けられず、脚部ガスケットシステムポケットを形成し、脚部ガスケットシステムポケットは、脚部ガスケットシステムポケットの内側長手方向縁部に開口部を含み、少なくとも１つの腰部ガスケット要素は、内側横方向縁部と、外側横方向縁部と、２つの長手方向縁部と、を有し、少なくとも１つの腰部ガスケット要素が、少なくとも１つの弾性材料を備え、腰部ガスケット要素の外側横方向縁部の少なくとも一部はシャーシに取り付けられ、腰部ガスケット要素の外側横方向縁部の少なくとも一部は脚部ガスケットシステムを形成する材料ウェブに取り付けられるように、少なくとも１つの腰部ガスケット要素は、１）使い捨て吸収性物品のシャーシ、及び２）脚部ガスケットシステムに取り付けられ、腰部ガスケット要素の内側横方向縁部は使い捨て吸収性物品のシャーシに取り付けられない。 
【図面の簡単な説明】
【０００８】
本明細書は、本発明を特に指摘しかつ明白に請求する特許請求の範囲をもって結論とするが、本発明は、以下の図面を添付の明細書と併せ読むことによって更によく理解されるものと考えられ、類似の構成要素には同じ参照番号が付与される。
【図１】例示的な吸収性物品の概略平面図である。
【図２】図１の吸収性物品の概略断面図であり、この断面は、線Ａ−Ａに沿って切断されている。
【図３】図１の吸収性物品の概略断面図であり、この断面は、線Ｂ−Ｂに沿って切断されている。
【図４】図１の吸収性物品の概略断面図であり、この断面は、線Ｃ−Ｃに沿って切断されている。
【図５】本明細書に詳述する吸収性物品の例示的な実施形態の概略平面図である。図５は、図１の例示的な実施形態と実質的に同一であり、第２腰部領域に腰部ガスケット要素が加わっている。
【図６】図５に示した吸収性物品の例示的な実施形態の第２腰部領域の拡大概略平面図である。
【図７】図６の吸収性物品の例示的な実施形態の概略断面図であり、この断面は、長手方向中心線に沿って切断されている。
【図８】図６の吸収性物品の例示的な実施形態の概略断面図であり、この断面は、線Ｄ−Ｄに沿って切断されている。
【図９】図６の吸収性物品の例示的な実施形態の概略断面図であり、この断面は、線Ｅ−Ｅに沿って切断されている。
【図１０】図６の吸収性物品の例示的な実施形態の概略断面図であり、この断面は、線Ｄ−Ｄに沿って切断されている。
【図１１】図６の吸収性物品の例示的な実施形態の概略断面図であり、この断面は、線Ｅ−Ｅに沿って切断されている。
【発明を実施するための形態】
【０００９】
用語の定義：
本明細書で使用するとき、以下の用語は後に指定される意味を有するものとする。
吸収性物品に関連しての「使い捨て」は、吸収性物品が、洗濯するか、又は別の方法で吸収性物品として復元若しくは再利用することが一般的に意図されない（即ち、単回の使用の後で廃棄する、好ましくはリサイクル、堆肥化、あるいは環境に適合する様態で廃棄することが意図される）ことを意味する。
【００１０】
「吸収性物品」とは、身体排出物を吸収及び収容するデバイスを指し、より詳細には、着用者の身体に接して、又は近接して置かれて、身体から排出される様々な排出物を吸収し、収容するデバイスを指す。吸収性物品の例としては、おむつ、トレーニングパンツ、プルオンパンツ式おむつ（即ち、米国特許第６，１２０，４８７号に示されているような予め形成された腰部開口部及び脚部開口部を有するおむつ）、再締結可能なおむつ若しくはパンツ型おむつ、失禁用ブリーフ及び下着、おむつホルダ及びライナー、パンティライナーなどの女性用衛生衣類、吸収性挿入物などが挙げられる。
【００１１】
「近位」及び「遠位」は、それぞれ、構造体の長手方向又は横方向の中心線に比較的近い又は遠い要素の位置を指す（例えば、長手方向に延びる要素の近位縁が、同じ要素の遠位縁が同じ長手方向中心線に対して位置するよりも、長手方向中心線により近く位置している）。
【００１２】
「身体に面する」及び「衣類に面する」とは、それぞれ、要素、又は要素の面、又は要素の群の相対位置を指す。「身体に面する」とは、要素又は面が、他の要素又は面よりも、着用時に着用者により近いことを意味する。「衣類に面する」とは、要素又は面が他の要素又は面より、着用時に着用者からより遠くに離れていることを意味する（即ち、要素又は面が、使い捨て吸収性物品の上に着用され得る着用者の衣類に近接する）。
【００１３】
「長手方向」とは、物品の腰部縁部から対向する腰部縁部まで実質的に垂直に、及び物品の最大直線寸法にほぼ平行に延びる方向を指す。長手方向の４５度以内の方向は「長手方向」であると見なされる。
【００１４】
「横方向」とは、物品の長手方向縁部から対向する長手方向縁部に及び、長手方向にほぼ直角に延びる方向を指す。横方向に４５度以内の方向は、「横方向」であると見なされる。
【００１５】
「配設される」とは、要素が、ある特定の場所又は位置に配置されていることを指す。
【００１６】
「接合された」とは、要素を他の要素に直接固着することによって、その要素が別の要素に直接固定されている形態、及び要素を１つ以上の中間部材に固着し、その中間部材が次に他の要素に固着されることによって、その要素が別の要素に間接的に固定されている形態を指す。
【００１７】
「フィルム」とは、材料の長さ及び幅が材料の厚さを大きく上回るシート状材料を指す。典型的には、フィルムは約０．５ｍｍ以下の厚さを有する。
【００１８】
「透水性」及び「不透水性」は、使い捨て吸収性物品の意図された使用に関連する材料の浸透性を指す。具体的には、用語「透水性」は、液体の水、尿又は合成尿が押し付け圧力がない状態で、その厚さを通過できる孔、開口部及び／又は相互に接続された空隙を有する層又は層構造体を指す。逆に、用語「不透水性」は、液体の水、尿又は合成尿が（重力などの自然の力とは別の）押し付け圧力がない状態では、その厚さを通過できない層又は層構造体を指す。この定義により不透水性の層又は層構造体は、水蒸気に対して透過性（即ち、「蒸気透過性」）であってもよい。
【００１９】
「延伸性」及び「延伸可能な」とは、弛緩状態における構成要素の幅又は長さを延伸又は増大させることができることを意味する。
【００２０】
「伸縮性がある」又は「伸縮性を持たせた」とは、構成要素が弾性材から作製された少なくとも一部分を含むことを意味する。
【００２１】
「延長可能な材料」、「延伸可能な材料」、又は「伸張可能な材料」は互換的に使用され、付勢力を加えると、ＥＤＡＮＡ法２０．２−８９で測定して、破裂又は破断することなく、弛緩した元の長さの少なくとも約１１０％の延長された長さまで伸張することができ（即ち、元の長さよりも１０％長く伸張することができ）、加えられた力を解放した際に、完全に破裂又は破断することなく、その伸び率の約２０％未満というわずかな回復を示す材料を指す。かかる延長可能材料が、加えられた力を解放した際に、その伸び率の少なくとも４０％を回復する場合、その延長可能材料は、「弾性」又は「エラストマー性」であると見なされる。例えば、１００ｍｍの初期長さを有する弾性材料は、少なくとも１５０ｍｍまで延伸することができ、力を取り除くと少なくとも１３０ｍｍの長さまで収縮する（即ち、４０％の回復を示す）。加えた力を解放した際に、材料がその伸び率の４０％未満を回復する場合、その延長可能材料は、「実質的に非弾性」又は「実質的に非エラストマー性」であると見なされる。例えば、１００ｍｍの初期長さを有する延長可能材料は、少なくとも１５０ｍｍまで延伸することができ、力を取り除くと少なくとも１４５ｍｍの長さまで収縮する（即ち、１０％の回復を示す）。
【００２２】
「エラストマー材料」は、弾性的性質を示す材料である。エラストマー材料としては、エラストマーフィルム、スクリム、不織布及び他のシート状構造体を挙げることができる。
【００２３】
「パンツ」とは、予め形成された腰部及び脚部開口部を有する使い捨て吸収性物品を指す。パンツは、着用者の両脚を脚部開口部に挿入し、パンツを滑らせて着用者の下部胴体あたりの位置に至らせることによって着用され得る。パンツは、通常、「閉じられたおむつ」、「予め締結されたおむつ」、「プルオンおむつ」、「トレーニングパンツ」、及び「おむつパンツ」とも呼ばれる。
【００２４】
吸収性物品：
本開示は、脚部ガスケットシステムを備える使い捨て吸収性物品、及び物品の内側に向かって（長手方向中心線１００に向かって）開口部を備える脚部ガスケットシステムポケットに関するものであり、このポケットは、粘性の低い排便の漏れを低減する。
【００２５】
図１及び５は、平坦な非収縮状態にある、本明細書に記載の吸収性物品２０の例示的な非限定的実施形態の平面図である。図１及び５は、実質的に同一の使い捨て吸収性物品を示しており、相違点は、図５が、第２腰部領域３８において腰部ガスケット要素８１も組み込んでいることである。したがって、本明細書で図１の実施形態の特定の要素を詳述するとき、これらの同一要素は図５の実施形態にも示され得るため（明示的に示されるかどうかにかかわらず）、同一の開示が図５の実施形態にも適用されるであろう。明確にするために、図１に明示的に示し、参照する一部の要素が、図５では見当たらないことがある。例えば、カフ分離結合部４５は、腰部ガスケット要素８１の図を明確にするために、図５の第２腰部領域３８の外側部分においては明示的に示されない。しかしながら、明示的に示されない場合でも、図５の実施形態は、図１に詳述し、本明細書に記載する領域にカフ分離結合部４５、並びに図１（又は図１を参照する図）に示す、及び／又は本明細書に記載する任意の他の要素を含んでよい。
【００２６】
図１は、平坦な非収縮状態にある、本発明の吸収性物品２０の例示的な非限定的実施形態の平面図である。吸収性物品２０の衣類に面する面１２０は、見る人に面している。吸収性物品２０は、長手方向中心線１００及び横方向中心線１１０を含む。吸収性物品２０は、シャーシ２２を備えてよい。吸収性物品２０及びシャーシ２２が、第１腰部領域３６、第１腰部領域３６に対向する第２腰部領域３８、及び第１腰部領域３６と第２腰部領域３８との間に位置する股部領域３７を有するものとして示されている。腰部領域３６及び３８は一般に、着用時に着用者の腰部を取り囲む吸収性物品２０の部位を含む。腰部領域３６及び３８は、フィット性及び封入性を改善するように、着用者の腰部周りでギャザーをなすような弾性要素を含み得る。股部領域３７は、吸収性物品２０が着用されたときに、概ね着用者の脚の間に位置付けられる吸収性物品２０の部分である。
【００２７】
シャーシ２２の外周部は、長手方向縁部１２及び腰部縁部（第１腰部領域３６の第１腰部縁部１３及び第２腰部領域３８の第２腰部縁部１４）によって画定される。長手方向縁部１２は、前側長手方向縁部１２ａに更に分割されてよく、この前側長手方向縁部１２ａは第１腰部領域３６における長手方向縁部１２の一部であり、後側長手方向縁部１２ｂは、後側腰部領域３８における長手方向縁部１２の一部である。シャーシ２２は、長手方向中心線１００に対して概ね平行に方向付けられる、対向する長手方向縁部１２を有してよい。しかしながら、より良いフィットのためには、長手方向縁部１２は、例えば平面図で見たときに、「砂時計」型のおむつを製造するように、湾曲している、又は角度が付いている場合がある。シャーシ２２は、横方向中心線１１０に対して概ね平行に方向付けられる、対向する横方向縁部１３、１４を有してよい。
【００２８】
シャーシ２２は、液体透過性トップシート２４と、バックシート２６と、トップシート２４とバックシート２６との間の吸収性コア２８と、を備えてよい。吸収性コア２８は、身体に面する表面と衣類に面する表面とを有し得る。トップシート２４は、コア２８及び／又はバックシート２６に接合されてよい。バックシート２６は、コア２８及び／又はトップシート２４に接合されてよい。他の構造体、要素、又は基材がコア２８とトップシート２４及び／又はバックシート２６との間に位置付けられてもよいことが理解されよう。ある実施形態では、シャーシ２２は、複合吸収性物品構造体を形成するために付加され得る他の機構を備える、吸収性物品２０の主要構造体を備える。トップシート２４、バックシート２６、及び吸収性コア２８は、種々の周知の構成で組み立て得るが、好ましい吸収性物品の構成は、概して米国特許第３，８６０，００３号、同第５，１５１，０９２号、同第５，２２１，２７４号、同第５，５５４，１４５号、同第５，５６９，２３４号、同第５，５８０，４１１号及び同第６，００４，３０６号に記載されている。
【００２９】
トップシート：
トップシート２４は一般的に、着用者に少なくとも部分的に接触して又は近接して位置し得る、吸収性物品２０の一部分である。好適なトップシート２４は、多孔質発泡体、網状発泡体、有孔プラスチックフィルム、又は天然繊維（例えば、木材繊維又は綿繊維）、合成繊維（例えば、ポリエステル繊維又はポリプロピレン繊維）、若しくは天然繊維と合成繊維との組み合わせによる織布ウェブ若しくは不織布ウェブなど、幅広い材料から製造され得る。トップシート２４は、一般に、着用者の皮膚に対してしなやかで柔らかい感触であり、無刺激性である。一般に、トップシート２４の少なくとも一部は液体透過性であり、トップシート２４の厚みを通って容易に液体を透過させることができる。本明細書で有用なトップシート２４の１つは、ＢＢＡ  Ｆｉｂｅｒｗｅｂ（Ｂｒｅｎｔｗｏｏｄ，ＴＮ）から供給元コード０５５ＳＬＰＶ０９Ｕとして入手可能である。トップシート２４は有孔であってよい。
【００３０】
トップシート２４の任意の部分は、当該技術分野において既知のローション又はスキンケア組成物でコーティングされ得る。好適なローションの非限定例には、米国特許第５，６０７，７６０号、同第５，６０９，５８７号、同第５，６３５，１９１号、及び同第５，６４３，５８８号に開示されたものが挙げられる。当該技術分野において周知の任意のローション又はスキンケア組成物を使用し得るため、これらの特定の例は限定的ではない。トップシート２４とコア２８との間に空隙空間をもたらすために、トップシート２４は、全体的に又は部分的に伸縮性であってもよく、又は縮小させてもよい。伸縮性を持たせた、又は縮小させたトップシートを含む例示的な構造体が、米国特許第４，８９２，５３６号、同第４，９９０，１４７号、同第５，０３７，４１６号、及び同第５，２６９，７７５号により詳細に記載されている。
【００３１】
吸収性コア：
吸収性コア２８は、使い捨ておむつ及び他の吸収性物品に一般に使用される多種多様の液体吸収性材料を含み得る。適切な吸収性材料の例として、通常エアフェルトクレープ紙綿と呼ばれる粉砕された木材パルプ、コフォームを含むメルトブローンポリマー、化学的に強化、改質、又は架橋されたセルロース繊維、薄紙の包装紙及び薄片を含む薄紙、吸収性発泡体、吸収性スポンジ、超吸収性ポリマー、吸収性ゲル化材料、又は任意のその他吸収性材料又は材料の組み合わせが挙げられる。一実施形態においては、吸収性コアの少なくとも一部分は、実質的にセルロースを含まず、１０重量％未満のセルロース繊維、５重量％未満のセルロース繊維、１重量％未満のセルロース繊維、微量のセルロース繊維を含有するか、又はセルロース繊維を含有しない。微量のセルロース材料が、実質的にセルロースを含まない吸収性コアの一部分の薄さ、可撓性、及び吸収性のうちの少なくとも１つに実質的に影響を与えないということは理解されるべきである。他の利点の中でも、吸収性コアの少なくとも一部分が実質的にセルロースを含まないとき、吸収性コアのこの部分は、１０重量％超のセルロース繊維を含む、同様の吸収性コアよりも著しく薄く、より高い可撓性を有すると考えられる。吸収性コア中に存在する吸収性材料、例えば吸収性粒子状ポリマー材料の量は、様々であってよいが、特定の実施形態においては、吸収性コアの約８０重量％超、又は吸収性コアの約８５重量％超、又は吸収性コアの約９０重量％超、又はコアの約９５重量％超の量で吸収性コア中に存在する。
【００３２】
吸収性コア２８として使用するための例示的な吸収性構造は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号に記載されている。
【００３３】
バックシート：
バックシート２６は、それが吸収性物品２０の衣類に面する表面１２０の少なくとも一部であってもよいように概ね配置される。バックシート２６は、吸収性物品２０によって吸収され、吸収性物品２０内に収容された排出物が、ベッドシーツ及び下着など、吸収性物品２０と接触し得る物品を汚すのを防ぐように設計することができる。ある実施形態では、バックシート２６は、実質的に不透水性である。好適なバックシート２６の材料としては、Ｔｒｅｄｅｇａｒ  Ｉｎｄｕｓｔｒｉｅｓ  Ｉｎｃ．（Ｔｅｒｒｅ  Ｈａｕｔｅ，ＩＮ）により製造され、商品名Ｘ１５３０６、Ｘ１０９６２、及びＸ１０９６４で販売されているものなどのフィルムが挙げられる。他の好適なバックシート２６の材料としては、蒸気が吸収性物品２０から逃れることを可能にしながらも、依然として排出物がバックシート２６を通り抜けることを防ぐ通気性材料を挙げることができる。例示的な通気性材料としては、織布ウェブ、不織布ウェブ、フィルムコーティング不織布ウェブなどの複合材料、並びにＥＳＰＯＩＲ  ＮＯの名称で日本のＭｉｔｓｕｉ  Ｔｏａｔｓｕ  Ｃｏ．により製造されている微多孔質フィルム及びＥＸＸＡＩＲＥの名称でＥＸＸＯＮ  Ｃｈｅｍｉｃａｌ  Ｃｏ．（Ｂａｙ  Ｃｉｔｙ、ＴＸ）により製造されている微多孔質フィルムなどの材料を挙げることができる。ポリマーブレンドを含む好適な通気性複合材料は、名称ＨＹＴＲＥＬブレンドＰ１８−３０９７として、Ｃｌｏｐａｙ  Ｃｏｒｐｏｒａｔｉｏｎ（Ｃｉｎｃｉｎｎａｔｉ、ＯＨ）から入手可能である。このような通気性複合材料は、国際公開第９５／１６７４６号及び米国特許第５，８６５，８２３号により詳述されている。不織布ウェブ及び孔形成フィルムを含む他の通気性バックシートが、米国特許第５，５７１，０９６号に記載されている。例示的な好適なバックシートは、米国特許第６，１０７，５３７号に開示されている。他の好適な材料及び／又は製造技術は、限定はされないが、表面処理、特定のフィルムの選択及び加工、特定のフィラメントの選択及び加工などが挙げられ、好適なバックシート２６を提供するために使用され得る。
【００３４】
バックシート２６はまた、２層以上の層から構成され得る。バックシート２６は、外側カバー及び内側層を含み得る。外側カバーは、柔らかい不織布材料から作製され得る。内側層は、実質的に液体不透過性のフィルムから作製され得る。外側カバー及び内側層は、接着剤又は任意の他の好適な材料又は方法によって共に接合されてもよい。特に好適な外側カバーは、供給元コードＡ１８ＡＨ０としてＣｏｒｏｖｉｎ  ＧｍｂＨ（Ｐｅｉｎｅ，Ｇｅｒｍａｎｙ）から入手可能であり、特に好適な内側層は、供給元コードＰＧＢＲ４ＷＰＲとしてＲＫＷ  Ｇｒｏｎａｕ  ＧｍｂＨ（Ｇｒｏｎａｕ，Ｇｅｒｍａｎｙ）から入手可能である。本明細書では様々なバックシート構成が考えられているが、本発明の趣旨及び範囲から逸脱することなく様々な他の変更及び修正が可能であることは当業者には明らかである。
【００３５】
耳部／締結具：
吸収性物品２０は、前側耳部４０及び／又は後側耳部４２を含んでよい。耳部４０、４２は、延伸性、非延伸性、弾性、又は非弾性であり得る。耳部４０、４２は、不織布ウェブ、織布ウェブ、編布地、高分子フィルム、エラストマーフィルム、有孔フィルム、スポンジ、発泡体、スクリム、並びにこれらの組み合わせ及び積層体から形成され得る。ある特定の実施形態においては、耳部４０、４２は、不織布／エラストマー材料積層体又は不織布／エラストマー材料／不織布積層体のような伸縮性積層体から形成されてよい。伸縮性積層体は、当該技術分野において既知な任意の方法によって形成され得る。例えば、耳部４０、４２は、不織布材料及びエラストマー要素のうちの少なくとも一層を含むゼロ歪伸縮性積層体として形成されてよい。弛緩状態又は実質的に弛緩状態でエラストマー要素が不織布材料の層に取り付けられ、得られた積層体を、不織布層を恒久的に伸長させ、エラストマー要素を一時的に伸長させる活性化プロセスにかけることにより、その積層体は伸縮可能に（又は、より広い範囲で伸縮可能に）なる。不織布層は、シャーシ２２の少なくとも一部分と一体であってもよく、その場合、エラストマー要素は、不織布層に取り付けられてもよく、次に不織布／エラストマー要素積層体が活性化される。あるいは、不織布層は、別の構成要素であってよく、その場合、エラストマー要素は、不織布層に取り付けられて積層体を形成し、次いで本体部分に結合される。サイドパネルの１つ、又は２つ以上の層が、別個に設けられる場合、積層体は、本体部分に取り付けられる前後のいずれかで活性化され得る。ゼロ歪み活性化プロセスは米国特許第５，１６７，８９７号及び同第５，１５６，７９３号に更に記述されている。好適な弾性耳部は、２つの不織布層（例えば、供給元コードＦＰＮ３３２としてＢＢＡ  Ｆｉｂｅｒｗｅｂ（Ｂｒｅｎｔｗｏｏｄ，ＴＮ）から入手可能）の間に配置されたエラストマーフィルム（例えばＴｒｅｄｅｇａｒ  Ｃｏｒｐ（Ｒｉｃｈｍｏｎｄ，ＶＡ）から供給元コードＸ２５００７として入手可能なものなど）を含む、活性化された積層体であり得る。
【００３６】
耳部４０、４２は別体であっても、又は一体化されていてもよい。別体の耳部は、シャーシ２２に接合される別体の要素として形成される。一体化された耳部は、長手方向縁部１２から横に向かって外側に突出するシャーシ２２の一部である。一体化された耳部は、耳部突出部の形状を含むようにシャーシ形状を切断することで形成され得る。
【００３７】
吸収性物品２０は締結システム５０を含んでもよい。締結時、締結システム５０は、第１腰部領域３６と後側腰部領域３８とを相互に接続し、吸収性物品２０の着用時に、着用者を取り囲むことができる腰部の外周となる。締結システム５０は、例えば、テープタブ、フックとループの締結要素、タブ及びスロットのような係合締結具、バックル、ボタン、スナップ、及び／又は雌雄同体締結要素などの締結具を含んでよいが、他の既知の任意の締結手段も、概ね使用可能である。いくつかの代表的な表面締結システムは、米国特許第３，８４８，５９４号、同第４，６６２，８７５号、同第４，８４６，８１５号、同第４，８９４，０６０号、同第４，９４６，５２７号、同第５，１５１，０９２、及び同第５，２２１，２７４号に開示されている。例示的な噛合締結システムは、米国特許第６，４３２，０９８号に開示されている。締結システム５０は、米国特許第４，９６３，１４０号に開示されるように、使い捨て構成において物品を保持する手段も提供し得る。締結装置５０は、米国特許第４，６９９，６２２号に開示されるように、一次及び二次締結装置も含み得る。締結システム５０は、米国特許第５，２４２，４３６号、同第５，４９９，９７８号、同第５，５０７，７３６号、及び同第５，５９１，１５２号に開示されているように、重なり合っている部分のずれを低減するか、又はフィット性を改善するように構成されてもよい。
【００３８】
脚部ガスケットシステム：
吸収性物品２０は、脚部ガスケットシステム７０を含んでよい。図２、３，及び４は、図１の例示的な脚部ガスケットシステム７０の概略断面図を示す。図２は、図１の線Ａ−Ａによる概略断面図である。図３は、図１の線Ｂ−Ｂによる概略断面図である。図４は、図１の線Ｃ−Ｃによる概略断面図である。様々な実施形態では、脚部ガスケットシステム７０は、１つ、又は２つ以上の材料ウェブ９０から構成され得、内側カフの折り畳まれた縁部７２と、内側カフの材料縁部７３と、を有する内側カフ７１を含んでよい。脚部ガスケットシステム７０は、トップシート及び／又はバックシートの部分を構成に含む外側カフ７４を更に含んでよい。外側カフ７４は、外側カフの材料縁部７６を含んでよい。
【００３９】
一実施形態では、各脚部ガスケットシステム７０は、シャーシ２２（例えば、バックシート２６及び／又はトップシート２４）の一部と共に単一の連続材料ウェブ９０を備える。内側カフと外側カフの両方を形成するために（シャーシの一部に加えて）単一の材料ウェブを有する実施形態は、２つ以上の材料ウェブを有する実施形態に対して、コスト面で有利であり得る。更に、１つの材料ウェブを有する実施形態は、目に見える機械的な結合部がほとんどないため、見た目がより美しいものとなり得る。他の実施形態では、脚部ガスケットシステム７０は、２つ以上の材料ウェブ（例えば、接合されて１つの材料ウェブになる多数の材料ウェブ、又は使い捨て吸収性物品のシャーシとは分離しており、脚部ガスケットシステムの一部を形成する、多数の別個の材料ウェブ）から形成され得る。ここで、「材料ウェブ」又は「材料ウェブの一部」に関連して脚部ガスケットシステム７０上の位置（例えば、折り畳まれた縁部、材料縁部など）について詳述する。「材料ウェブ（a web of material）」又は「材料ウェブ（the web of material）」という記述は、単一の連続材料ウェブ、接合されて１つの材料ウェブになる多数の材料ウェブ、又は使い捨て吸収性物品のシャーシから分離しており、脚部ガスケットシステムの一部を形成する、多数の別個の材料ウェブから形成され得る脚部ガスケットシステムの実施形態を指す。全てのかかる実施形態が企図される。
【００４０】
一実施形態では、脚部ガスケットシステム７０の少なくとも一部は、第１腰部領域３６、第２腰部領域３８、及び股部領域３７においてシャーシ２２に取り付けられる。シャーシ２２（例えば、トップシート２４及び／又はバックシート２６）への取り付けは、１つ、又は２つ以上の外側カフ結合部４３を使用することによって行われる。一実施形態では、外側カフ結合部４３のうちの１つ、又は２つ以上は、第１腰部縁部１３から第２腰部縁部１４まで連続的である、又は実質的に連続的である（例えば、連続的に間欠パターンである）。図２〜４の例示的な実施形態に示すように、外側カフ結合部４３は、脚部ガスケット材料ウェブ９０をバックシート２６に取り付ける。外側カフ結合部４３は、接着剤、熱接合、圧着、ＣＰＷ結合、又は当該技術分野において周知の任意の他の結合法の形態であってよい。図２〜４の例示的な実施形態では、外側カフ結合部４３は接着剤結合の形態である。
【００４１】
更に、ウェブ材料９０の少なくとも一部は、股部領域３７及び第１腰部領域３６において第２の位置でシャーシ２２に取り付けられる。この第２の位置における材料ウェブ９０への取り付けは、１つ、又は２つ以上のカフ分離結合部４５を使用することによって行われる。図１〜４に示すように、カフ分離結合部４５は、股部領域３７及び第１腰部領域３６、並びに第２腰部領域３８の一部において、ウェブ材料９０の少なくとも一部をトップシート２４に取り付ける。一方、他の実施形態では、カフ分離結合部４５は、股部領域３７及び第１腰部領域３６、並びに第２腰部領域３８の一部において、ウェブ材料９０の少なくとも一部をバックシート２６に直接に又は間接に取り付け得る。カフ分離結合部４５は、接着剤、熱接合、圧着、ＣＰＷ結合、又は当該技術分野において周知の任意の他の結合法の形態であってよい。図１〜４の例示的な実施形態では、カフ分離結合部４５は接着剤結合の形態である。
【００４２】
図１〜４に示すように、ウェブ材料９０は、第２腰部領域３８の少なくとも一部においてトップシート２４に取り付けられない。材料ウェブ９０が、第２腰部領域３８の少なくとも一部においてトップシート２４に取り付けられないため、脚部ガスケットシステムポケット４７は、脚部ガスケットシステム７０の第２腰部領域の少なくとも一部に形成される。脚部ガスケットシステムポケット４７は、内側長手方向縁部４８と、外側長手方向縁部４９と、を含み、これらは、脚部ガスケットシステムポケットの横方向寸法を画定する。一実施形態では、内側長手方向縁部４８は、カフ分離結合部４５が長手方向に沿って延びる線と隣接している。一実施形態では、外側長手方向縁部４９は、外側カフ結合部４３が長手方向に沿って延びる線と隣接している。別の実施形態では、外側長手方向縁部４９は、外側カフ７４の最も外側の結合部が長手方向に沿って延びる線と隣接している。
【００４３】
一実施形態では、脚部ガスケットシステムポケット４７は、脚部ガスケットシステムポケット４７の内側長手方向縁部４８に沿った距離を延びる開口部５１を含む。開口部５１は、カフ分離結合部４５における破断部によって形成される。図１を参照すると、カフ分離結合部４５は、吸収性物品の長手方向に延び、第１腰部領域３６及び股部領域３７において連続的である、又は実質的に連続的である（例えば、連続的に間欠パターンである）。連続的なカフ分離結合部４５は、第２腰部領域３８まで連続するが、次いで、規定の距離にわたって中断し、次いで、同一の長手方向線に沿って再開する。カフ分離結合部４５がその長手方向線に沿って中断する距離は、材料ウェブ９０がトップシート２４に取り付けられない距離である。したがって、この距離は、脚部ガスケットシステムポケット４７の内側長手方向縁部４８に沿って延びる開口部５１の長さである。開口部５１は、内側横方向縁部５２と、外側横方向縁部５３と、を有し、カフ分離結合部４５は、カフ分離結合部４５が沿って延びる長手方向線に沿って開始し、停止する。図１に示すように、開口部５１の長さは、カフ分離結合部４５が沿って延びる長手方向線に沿って得られる、内側横方向縁部５２と外側横方向縁部５３との間の距離を測定することによって決定され得る。
【００４４】
別の実施形態では、脚部ガスケットシステムポケット４７は、これもまた脚部ガスケットシステムポケット４７の内側長手方向縁部４８に沿った距離を延びる開口部５１を含む。開口部５１は、カフ分離結合部４５における一連の破断部によって形成される。図１を参照すると、カフ分離結合部４５は、吸収性物品の長手方向に延び、第１腰部領域３６及び股部領域３７において連続的である。連続的なカフ分離結合部４５は、第２腰部領域３８まで連続するが、次いで、所定の距離を間欠結合パターン（例えば、停止−開始−停止−開始）になり、次いで、同一の長手方向線に沿って再び連続的になる。カフ分離結合部４５がその長手方向線に沿って間欠結合パターンになる距離は、材料ウェブ９０がトップシート２４に間欠的に取り付けられる距離である。カフ分離結合部４５の距離にわたるこの間欠パターンは、本明細書で合わせて脚部ガスケットシステムポケットと呼ぶ、一連の小型ポケットを形成する。
【００４５】
他の実施形態では、ポケット及び開口部は、特定種類の排出物及び漏れの防止が望ましい特定の状況での必要に応じて、第１腰部領域、第２腰部領域、又は股部領域に存在し得る。例えば、うつ伏せで（前面を下にして）眠る着用者は、睡眠中に前側腰部から尿が漏出するのを阻止するために、前側腰部領域に位置するポケット及び開口部から恩恵を受けることがある。同様に、立位で物品着用するユーザーには、立位のときの重力のために、物品の中心に位置する傾向にある排出物を収容するために、股部領域に開口部を形成することが重要であり得る。
【００４６】
一部の実施形態では、開口部５１は、長手方向に約５ｍｍ〜約１００ｍｍ、又は約５ｍｍ〜約１００ｍｍの範囲内の任意の範囲若しくは距離であり、一部の実施形態では、開口部は、約７５ｍｍであり、他の実施形態では、開口部は、約１ｍｍ〜約２０ｍｍである。一実施形態では、開口部５１の長さは、脚部ガスケットシステムポケット４７の長手方向全長の約１％〜約７５％（又は、約１％〜約７５％の範囲内の任意の範囲若しくはパーセンテージ）である。脚部ガスケットシステムポケット４７の長手方向全長は、ポケットの最も遠い長手方向内側部分からポケットの最も遠い長手方向外側位置までの距離である。一部の実施形態では、ポケット４７の最も遠い長手方向外側位置は、吸収性物品の第２腰部縁部であり、他の実施形態では、ポケット４７は、第２腰部縁部に達することなく長手方向に終結する。図１に示す実施形態では、脚部ガスケットシステムポケット４７の長手方向全長は、カフ分離結合部４５が沿って延びる長手方向線に沿って得られる、開口部５１の内側横方向縁部５２から吸収性物品２０の第２腰部縁部１４までの距離である。換言すると、図１に示す例示的な実施形態では、脚部ガスケットシステムポケット４７の長手方向寸法は、開口部５１の内側横方向縁部５２及び第２腰部縁部１４によって画定される。一実施形態では、脚部ガスケットシステムポケット４７の長手方向全長は、長手方向に約５ｍｍ〜約２００ｍｍ、又は約５ｍｍ〜約２００ｍｍの範囲内の任意の範囲若しくは距離であり、一部の実施形態では、約１００ｍｍ、約７５ｍｍ、又は約５０ｍｍ、他の実施形態では、長手方向全長は、約１ｍｍ〜約２０ｍｍである。一実施形態では、脚部ガスケットシステムポケット４７の開口部５１の外側縁部は、第２腰部縁部１４から長手方向に約５ｍｍ内側に位置付けられ、開口部の内側縁部は、第２腰部縁部１４から長手方向に約１００ｍｍ内側に位置付けられる。他の実施形態では、開口部の内側／外側縁部は、第２腰部縁部１４から長手方向に約５ｍｍ〜約２００ｍｍの範囲内の任意の範囲若しくは距離内側であり得、一部の実施形態では、開口部の外側縁部は、第２腰部縁部１４から長手方向に約１００ｍｍ、約７５ｍｍ、約５０ｍｍ、約２０ｍｍ、又は約１ｍｍ内側であり、一部の実施形態では、開口部の内側縁部は、第２腰部縁部１４から長手方向に約２００ｍｍ、約１００ｍｍ、約７５ｍｍ、約５０ｍｍ、又は約２０ｍｍ内側である。
【００４７】
脚部ガスケットシステムポケット４７の横方向全幅は、ポケットの最も遠い横方向内側部分からポケットの最も遠い横方向外側部分までの距離である。図１に示す実施形態では、脚部ガスケットシステムポケット４７の横方向全幅は、第２腰部縁部１４に対して平行であり、かつ脚部ガスケットシステムポケットの開口部５１の中央で中心にある線に沿って得られる、脚部ガスケットシステムポケットの内側長手方向縁部４８から脚部ガスケットシステムポケットの外側長手方向縁部４９までの距離である。換言すると、図１に示す例示的な実施形態では、脚部ガスケットシステムポケット４７の横方向寸法（即ち、幅）は、脚部ガスケットシステムポケット４７の内側及び外側長手方向縁部４８、４９によって画定される。一実施形態では、脚部ガスケットシステムポケット４７の横方向全幅は、横方向に約５ｍｍ〜約６０ｍｍ、又は約５ｍｍ〜約６０ｍｍの範囲内の任意の範囲若しくは距離であり、一部の実施形態では、約３０ｍｍ、約２５ｍｍ、又は約２０ｍｍであり、他の実施形態では、横方向全幅は、約１ｍｍ〜約２０ｍｍである。一実施形態では、脚部ガスケットシステムポケット４７の横方向全幅は、脚部ガスケットシステムポケット４７の長手方向全長の約１％〜約７５％（又は、約１％〜約７５％の範囲内の任意の範囲若しくはパーセンテージ）である。一実施形態では、開口部５１の長さは、脚部ガスケットシステムポケット４７の横方向全幅の約２０％〜約１００％（又は、約２０％〜約１００％の範囲内の任意の範囲若しくはパーセンテージ）である。
【００４８】
吸収性物品の着用者が粘性の低い排便を有する場合、粘性の低い排便は排便時に広がり、レッグカフと着用者の脚部との間の領域、又は腰部領域と着用者の背中との間の領域において吸収性物品から漏れ出すことが多い。この種の漏れは、ユーザーの身体と取り付けられた吸収性物品との間がぴったりフィットしているために、着用者の動作中に粘性の低い排便を吸収性物品内に収容したままにする余地を十分に確保できないためである。本明細書に詳述する脚部ガスケットシステムと組み合わせた、本明細書に詳述する脚部ガスケットシステムポケット４７の１つの利点は、身体排出物（例えば、糞便物質）を封入するためにレッグカフ内に追加の空隙容量を提供する、追加のポケット付き領域である。着用者が動作を行うと、身体排出物の一部は、着用者の背中と吸収性物品の後側腰部領域との間、又は吸収性物品のレッグカフ着用者との間の領域から漏れ出し得る前に、脚部ガスケットシステムポケット４７内に移動して封入され、脚部ガスケットシステム内の２層の不織布の間に保持／捕捉される。したがって、本明細書に詳述する脚部ガスケットシステムポケット４７は、漏れを低減させる。更に、脚部ガスケットシステムポケット４７は、レッグカフ内に更なる間隙容量を提供して糞便物質を受容するが、このことは着用者の皮膚からの糞便物質の分離に役立つ。
【００４９】
一実施形態では、脚部ガスケットシステムポケット４７は弾性部材７７を含まない。一実施形態では、脚部ガスケットシステムポケット４７は、１つ、又は２つ以上のスナップバック弾性部材を含む。一実施形態では、脚部ガスケットシステムポケット４７は、吸収性物品の第２腰部縁部１４に沿って第２開口部５５を有する。一実施形態では、脚部ガスケットシステムポケット４７は、第２腰部縁部１４に沿って封止される。
【００５０】
一部の実施形態では、ポケット４７は、ポケット４７の少なくとも一部（例えば、ポケット全体）が、ポケット４７の機能を示すものとして使用前に着用者又は介護者に見えるように、ポケットの外周の少なくとも一部（例えば、ポケットの全外周）を画定する熱接合又は圧着を含む。
【００５１】
別の実施形態では、低表面張力裏抜け又は静水頭など疎水性は、排出物がポケットを備える材料を通って漏れないような方法で、ポケット４７の少なくとも一部で増加し得る。したがって、これにより、収容された糞便物質を着用者から分離し続ける。疎水性の増加は、疎水性コーティング、インク、接着剤、シリコーン、追加材料、若しくはこれらの組み合わせを適用することによって、又は当該技術分野において周知の他の手段によって達成できる。
【００５２】
一実施形態では、外側カフ７４及び内側カフ７１は同じ色である。一実施形態では、外側カフ７４及び内側カフ７１は異なる色である。一実施形態では、脚部ガスケットシステム７０のカフの１つ、又は２つ以上に追加の印刷が存在する。内側カフ及び外側カフの両方に印刷が含まれる実施形態では、印刷は、各カフで同じでも、異なっていてもよい。
【００５３】
別の実施形態では、脚部ガスケットシステム７０は、使用前に利点を示すように、ポケット４７の少なくとも一部の輪郭を描く、つまりこれを画定する印刷区域を含む。
【００５４】
一部の実施形態では、ポケット４７は、シャーシの横方向縁部まで延在し、粘性の低い排便の流れを容易にするためのチャネルを形成する。この開放チャネル領域は、接着剤、機械的結合、熱接合など任意の好適な結合技法によって封止され得る。
【００５５】
一部の実施形態では、ポケット４７は、介護者が吸収性物品を容易に着用者に適用するために効果的な特徴として使用できる。ポケット４７は、着用者への適用中に、吸収性物品に指を挿入し、これを広げるために使用でき、したがって、適用を容易にする。左ポケットと右ポケットとの間の横方向距離は、約１２０ｍｍ〜約２５０ｍｍ、又は約１２０ｍｍ〜約２５０ｍｍの範囲内の任意の範囲若しくは距離であり、一部の実施形態では、左ポケットと右ポケットとの間の横方向距離は、約１２０ｍｍ、約１５０ｍｍ、又は約２００ｍｍであり、他の実施形態では、左ポケットと右ポケットとの間の横方向距離は、約２１０ｍｍ、又は約２５０ｍｍである。
【００５６】
一実施形態では、外側カフ７４は、外側カフの折り畳まれた縁部７５と外側カフの材料縁部７６との間の横方向配列に位置付けられた弾性部材７７を含む。図２〜４に示すように、弾性部７７、７８は、弾性接着剤７９によって、外側カフを形成する材料ウェブの一部に取り付けられる。かかる実施形態では、弾性部は、材料ウェブ９０とバックシート２６との間に位置付けられる。外側カフ７４は、少なくとも２つの弾性部材７７、少なくとも３つの弾性部材７７、少なくとも４つの弾性部材７７、少なくとも５つの弾性部材７７、又は少なくとも６つの弾性部材７７を備えてよい。一実施形態では、弾性部材７７は、外側カフの折り畳まれた縁部７５と内側カフの材料縁部７３との間に配置されてよい。一部の実施形態では、外側カフ７４における弾性接着剤７９は、股部領域３７に存在するが、脚部ガスケットシステムポケット４７を形成する第２腰部領域３８の一部に存在しない。
【００５７】
一実施形態では、内側カフ７１は、内側カフの折り畳まれた縁部７２と内側カフの材料縁部７３との間の横方向配列に位置付けられる、一連の弾性部材７８を備える。弾性部は、弾性接着剤７９によって、内側カフを形成する材料ウェブ９０の一部に取り付けられる。かかる実施形態では、弾性部は、１）内側カフの折り畳まれた縁部７２と内側カフの材料縁部７３との間の材料ウェブの一部と、２）内側カフの折り畳まれた縁部７２と外側カフの材料縁部７６との間のウェブ材料の一部と、の間に位置付けられる。内側カフ７１は、少なくとも１つの弾性部材７８、少なくとも２つの弾性部材７８、少なくとも３つの弾性部材７８、少なくとも４つの弾性部材７８、又は少なくとも５つの弾性部材７８を備えてよい。一実施形態では、弾性部材７８は、内側カフの折り畳まれた縁部７２と外側カフの材料縁部７６との間に配置されてよい。
【００５８】
一実施形態では、外側カフ７４は、内側カフ７１の弾性部材７８よりも少なくとも１つ多い弾性部材７７を備える。一実施形態では、内側カフの材料縁部７３は、外側カフの材料縁部７６の横に向かって外側に配置される。
【００５９】
一実施形態では、弾性部材７７及び７８は、部材の一方の縁部から部材の他方の縁部まで少なくとも２ｍｍ、任意選択的に少なくとも３ｍｍ、任意選択的に少なくとも３．５ｍｍ、任意選択的に少なくとも４ｍｍ、任意選択的に少なくとも４．５ｍｍ、任意選択的に少なくとも５ｍｍ、任意選択的に少なくとも５．５ｍｍ、任意選択的に少なくとも６ｍｍ、任意選択的に少なくとも６．５ｍｍ、任意選択的に少なくとも７ｍｍ、任意選択的に少なくとも７．５ｍｍ、任意選択的に少なくとも８ｍｍ、任意選択的に少なくとも８．５ｍｍ、任意選択的に少なくとも９ｍｍ、任意選択的に少なくとも９．５ｍｍ、任意選択的に少なくとも１０ｍｍ、任意選択的に少なくとも１０．５ｍｍ、任意選択的に少なくとも１１ｍｍ、任意選択的に少なくとも１１．５ｍｍ、任意選択的に少なくとも１２ｍｍ離間している。一実施形態では、最も外側の弾性部材７７及び７８は、外側カフの材料縁部７６及び内側カフの材料縁部７３から約２ｍｍ未満、任意選択的に約１．５ｍｍ未満、約１ｍｍ未満である。
【００６０】
一実施形態では、外側カフ７４は、約４ｍｍ離間した、４つの弾性部材７７を有する。外側カフ７４は、約２ｍｍ／７ｍｍ／２ｍｍ離間した、４つの弾性部材を有してよい。外側カフ７４は、約６ｍｍ離間した、３つの弾性部材７７を有してよい。外側カフ７４は、約１２ｍｍ離間した、２つの弾性部材を有してよい。外側カフ７４は、外側カフの折り畳まれた縁部７５から離間するように、約３ｍｍ／６ｍｍ／３ｍｍ離間した、２つの弾性部材を有してよい。任意の実施形態では、弾性部材は、外側カフの折り畳まれた縁部７５から約２ｍｍ、必要に応じて外側カフの折り畳まれた縁部７５から約０ｍｍであってもよい。
【００６１】
一実施形態では、内側カフ７１の高さは、少なくとも約１０ｍｍ、少なくとも約２０ｍｍ、少なくとも（a least）約３０ｍｍ、少なくとも約３２ｍｍ、少なくとも約３５ｍｍ、少なくとも約３８ｍｍである。一実施形態では、外側カフ７４の高さは、少なくとも約１５ｍｍ、少なくとも約２３ｍｍ、少なくとも約２５ｍｍ、少なくとも約２７ｍｍ、少なくとも約３０ｍｍである。内側カフの高さは、股部領域内で、内側カフの折り畳まれた縁部７２から、内側カフの材料縁部７３を越えて、材料への第１接続点まで測定される。外側カフの高さは、股部領域内で、外側カフの材料縁部７６から、内側カフの材料縁部７３を越えて、内側カフ７１が有する、材料への第１接続点まで測定される。したがって、内側カフ及び外側カフは、それらの対応の縁部（内側カフの折り畳まれた縁部７２及び外側カフの材料縁部７６）から、内側カフが、内側カフの材料縁部を越えて第１材料に接続される点まで測定される。
【００６２】
別の実施形態では、排出物の捕捉を可能にするポケット４７及び開口部５１を含む本発明の説明は、吸収性コアを含まない物品と組み合わせて使用できる。これにより、排出物が製品に吸収されることなく、分析用の排出物を容易に収集できるため、医療産業での使用が意図される製品に有用である。
【００６３】
腰部ガスケット要素：
使い捨て吸収性物品２０は、シャーシ２２及び脚部ガスケットシステム７０の両方に取り付けられる少なくとも１つの腰部ガスケット要素８１を含んでよい。図５は、第２腰部領域３８に腰部ガスケット要素８１を含む、本明細書に詳述する使い捨て吸収性物品２０の実施形態の概略図である。図６は、図５の第２腰部領域３８の拡大外略図である。図７は、平坦な非収縮状態にある図６の例示的な第２腰部領域３８の概略断面図を示しており、この図は、長手方向中心線１００によって切断したものである。図８〜１１もまた、図６の第２腰部領域３８の概略断面図を示す。図８及び１０は、図６の線Ｄ−Ｄによる概略断面図である。図９及び１１は、図６．図２５の線Ｅ−Ｅによる概略断面図である。
【００６４】
一実施形態では、少なくとも１つの腰部ガスケット要素８１は、単一の連続的な材料ウェブを備える。単一の材料ウェブを有する実施形態は、２つ以上の材料ウェブを有する実施形態に対して、コスト面で有利であり得る。更に、１つの材料ウェブで形成された腰部ガスケット要素は、２つ以上の材料ウェブを結合することにより形成される穴が存在しないため、漏れがより少なくなり得る。また、１つの材料ウェブを有する実施形態は、目に見える機械的な結合部がほとんどないため、見た目がより美しいものとなり得る。他の実施形態では、腰部ガスケット要素８１は、２つ以上の材料ウェブ（例えば、接合されて１つの材料ウェブになる多数の材料ウェブ、又は使い捨て吸収性物品シャーシとは分離しており、腰部ガスケット要素の一部を形成する、多数の別個の材料ウェブ）から形成され得る。ここで、「材料ウェブ」又は「材料ウェブの一部」に関連して腰部ガスケット要素８１上の位置（例えば、折り畳まれた縁部、材料縁部など）について詳述する。「材料ウェブ（a web of material）」又は「材料ウェブ（the web of material）」という記述は、単一の連続材料ウェブ、接合されて１つの材料ウェブになる多数の材料ウェブ、折り畳まれて、同一材料の多数の層を形成する単一の材料、切り込みによって分離し、再接合される単一の材料、又は使い捨て吸収性物品シャーシから分離しており、脚部ガスケットシステムの一部を形成する、多数の別個の材料ウェブから形成され得る脚部ガスケットシステムの実施形態を指す。全てのかかる実施形態が企図される。
【００６５】
一実施形態では、腰部ガスケット要素８１は、内側横方向縁部８２と、外側横方向縁部８３と、２つの長手方向縁部８４と、を含む。一部の実施形態では、腰部ガスケット要素８１を形成する材料ウェブは、長手方向外側に（吸収性物品２０の横方向中心線１１０から離れて）折り畳まれて、内側横方向縁部８２を形成する。かかる実施形態では、内側横方向縁部８２はまた、腰部ガスケット要素の折り畳まれた縁部８９の位置であり、外側横方向縁部８３はまた、腰部ガスケット要素の第１材料縁部９０及び腰部ガスケット要素の第２材料縁部９１でもある。１つの折り畳まれた縁部８９及び２つの材料縁部９０、９１を備える腰部ガスケット要素８１を示す実施形態を図７〜１１に示すが、別の有用な腰部ガスケット要素構成が企図される。例えば、別の腰部ガスケット要素８１は、２つの別個の材料ウェブを含んでよく、したがって、４つの材料縁部（内側横方向縁部８２に２つ及び外側横方向縁部８３に２つ）を有する。別の例として、別の腰部ガスケット要素は、２つの折り畳まれた縁部（内側横方向縁部８２に１つ、外側横方向縁部８３に１つ）及び２つの材料縁部を有するように形成される、連続的なウェブ材料を有してよい。
【００６６】
更に、腰部ガスケット要素８１は、腰部ガスケット要素８１の外側横方向縁部８３の少なくとも一部はシャーシ２２に取り付けられ、腰部ガスケット要素８１の外側横方向縁部８３の少なくとも一部は脚部ガスケットシステム７０の材料ウェブに取り付けられるように、１）使い捨て吸収性物品２０のシャーシ２２、及び２）脚部ガスケットシステム７０に取り付けられ、腰部ガスケット要素８１の内側横方向縁部８２は使い捨て吸収性物品２０のシャーシ２２に取り付けられない。腰部ガスケット要素の折り畳まれた縁部８９、腰部ガスケット要素の第１材料縁部９０、及び腰部ガスケット要素の第２材料縁部９１を有する腰部ガスケット要素８１を含む実施形態では、腰部ガスケット要素の折り畳まれた縁部８９と腰部ガスケット要素の第２材料縁部９１との間の材料ウェブの少なくとも一部は、シャーシ２２のトップシート２４及び／又はバックシート２６に取り付けられる。腰部ガスケット要素８１のシャーシ２２への取り付けは、１つ、又は２つ以上の外側横方向縁部結合部８５を使用することによって行われる。図５〜７の実施形態に示すように、外側横方向縁部結合部８５は、腰部ガスケット要素の折り畳まれた縁部８９と腰部ガスケット要素の第２材料縁部９１との間の腰部ガスケット要素の材料ウェブの少なくとも一部をトップシート２４に取り付ける。一実施形態では、取り付け結合部８５は、シャーシ２２の第２腰部縁部１４にあり、他の実施形態では、取り付け結合部は、シャーシの腰部縁部から少なくとも２ｍｍ内側に配置され、シャーシの腰部縁部から少なくとも１０ｍｍ内側に配置され、シャーシの腰部縁部から少なくとも２０ｍｍ内側に配置され、シャーシの腰部縁部から少なくとも５０ｍｍ内側に配置され、又はシャーシの腰部縁部から約２ｍｍ〜約５０ｍｍの範囲内の任意の範囲若しくは距離内側に配置される。外側横方向縁部結合部８５は、接着剤、熱接合、圧着、ＣＰＷ結合、又は当該技術分野において周知の任意の他の結合法の形態であってよい。図５〜７の例示的な実施形態では、外側横方向縁部結合部８５は、接着剤結合、熱接合、又は圧着の形態である。
【００６７】
腰部ガスケット要素の折り畳まれた縁部８９、腰部ガスケット要素の第１材料縁部９０、及び腰部ガスケット要素の第２材料縁部９１を有する腰部ガスケット要素８１を含む実施形態では、腰部ガスケット要素の折り畳まれた縁部８９と腰部ガスケット要素の第２材料縁部９１との間の材料ウェブの少なくとも一部は、脚部ガスケットシステム７０の材料ウェブに取り付けられる。腰部ガスケット要素８１の脚部ガスケットシステム７０を形成する材料ウェブへの取り付けは、１つ、又は２つ以上の長手方向縁部結合部８６を使用することによって行われる。図５〜１１の実施形態に示すように、長手方向縁部結合部８６は、腰部ガスケット要素の折り畳まれた縁部８９と腰部ガスケット要素の第２材料縁部９１との間の腰部ガスケット要素の材料ウェブの少なくとも一部を、脚部ガスケットシステム７０を形成する材料ウェブに取り付ける。図８〜９に示す実施形態では、長手方向縁部結合部８６は、腰部ガスケット要素８１の長手方向縁部８４に近接して位置する（又は、それと隣接していてよい）。別の実施形態（図示なし）では、長手方向縁部結合部８６は、脚部ガスケットシステム７０の内側カフの折り畳まれた縁部７２に近接して位置する（又は、それと隣接してよい）。図１０〜１１に示す実施形態では、長手方向縁部結合部８６は、図８〜９の実施形態よりも幅広であり、１）腰部ガスケット要素８１の長手方向縁部８４と、２）脚部ガスケットシステム７０の内側カフの折り畳まれた縁部７２との間の距離にわたる。換言すると、具体的に図１０〜１１に示す実施形態の長手方向縁部結合部８６に関して、腰部ガスケット要素８１は、脚部ガスケットシステム７０が腰部ガスケット要素８１と重なり合う領域の実質的に全体で脚部ガスケットシステム７０に取り付けられる。一部の実施形態では、腰部ガスケット要素８１は、脚部ガスケットシステム７０が腰部ガスケット要素８１と重なり合う領域全体の約５０％超、約６０％超、約７０％超、約８０％超、約９０％超、約９５％超にわたって脚部ガスケットシステム７０に取り付けられる。長手方向縁部結合部８６は、接着剤、熱接合、圧着、ＣＰＷ結合、又は当該技術分野において周知の任意の他の結合法の形態であってよい。図５〜１１の例示的な実施形態では、長手方向縁部結合部８６は、接着剤結合、熱接合、又は圧着の形態である。
【００６８】
一部の実施形態では、腰部ガスケット要素の折り畳まれた縁部８９と腰部ガスケット要素第１材料縁部９０との間のウェブ材料の一部は、少なくとも１つの腰部ガスケット要素結合部９２によって、腰部ガスケット要素の折り畳まれた縁部８９と腰部ガスケット要素の第２材料縁部９１との間のウェブ材料の一部に取り付けられる。図５〜７に示す実施形態では、腰部ガスケット要素結合部９２は、腰部ガスケット要素の第１材料縁部９０及び腰部ガスケット要素の第２材料縁部９１に近接して位置する（腰部ガスケット要素結合部９２は、腰部ガスケット要素の第２材料縁部９１と隣接していてもよい）。腰部ガスケット要素結合部９２は、接着剤、熱接合、圧着、ＣＰＷ結合、又は当該技術分野において周知の任意の他の結合法の形態であってよい。図５〜７の例示的な実施形態では、腰部ガスケット要素結合部９２は接着剤結合の形態である。
【００６９】
図５〜１１に示すように、腰部ガスケット要素８１の内側横方向縁部８２は、使い捨て吸収性物品２０のシャーシ２２に取り付けられない。腰部ガスケット要素８１はシャーシ２２に取り付けられていないため、腰部ガスケット要素ポケット９３が形成される。腰部ガスケット要素ポケット９３は図７に示されている。腰部ガスケット要素ポケット９３は、腰部ガスケット要素ポケット９３の長手方向長さの寸法を画定する、内側横方向縁部９４と、外側横方向縁部９５と、を含む。一部の実施形態では、腰部ガスケット要素ポケット９３の内側横方向縁部９４は、腰部ガスケット要素の折り畳まれた縁部８９と隣接している。一部の実施形態では、腰部ガスケット要素ポケット９３の外側横方向縁部９５は、外側横方向縁部結合部８５と隣接している。別の実施形態では、外側横方向縁部９５は、腰部ガスケット要素８１の最も外側の結合部と隣接している。腰部ガスケット要素ポケット９３は、腰部ガスケット要素ポケット９３の内側横方向縁部９４に沿った距離を延びる開口部９６を含む。
【００７０】
図６に示す実施形態では、腰部ガスケット要素ポケット９３の長手方向全長は、腰部ガスケット要素ポケットの腰部ガスケット要素の折り畳まれた縁部８９から外側横方向縁部結合部８５までの距離である。換言すると、図６に示す例示的な実施形態では、腰部ガスケット要素ポケット９３の長手方向寸法は、腰部ガスケット要素の折り畳まれた縁部８９及び外側横方向縁部結合部８５によって画定される。一実施形態では、腰部ガスケット要素ポケット９３の長手方向全長は、長手方向に約５ｍｍ〜約１００ｍｍ、又は約５ｍｍ〜約１００ｍｍの範囲内の任意の範囲若しくは距離であり、一部の実施形態では、約６０ｍｍ、約４０ｍｍ、又は約３５ｍｍであり、他の実施形態では、長手方向全長は、約１ｍｍ〜約３０ｍｍである。
【００７１】
図６に示す実施形態では、腰部ガスケット要素８１の横方向全幅は、腰部ガスケット要素８１の片側の長手方向縁部８４から腰部ガスケット要素のもう一方の側の長手方向縁部８４までの距離である。一実施形態では、腰部ガスケット要素８１の横方向全幅は、横方向に約６０ｍｍ〜約２００ｍｍ、又は約６０ｍｍ〜約２００ｍｍの範囲内の任意の範囲若しくは距離であり、一部の実施形態では、約６０ｍｍ、約１００ｍｍ、又は約１５０ｍｍであり、他の実施形態では、横方向全幅は約５０ｍｍ〜約３００ｍｍである。
【００７２】
吸収性物品の着用者が粘性の低い排便を有する場合、粘性の低い排便は排便時に広がり、腰部領域と着用者の背中との間の領域で吸収性物品から漏れ出すことが多い。この種の漏れは、ユーザーの身体と取り付けられた吸収性物品との間がぴったりフィットしているために、着用者の動作中に粘性の低い排便を吸収性物品内に収容したままにする余地を十分に確保できないためである。本明細書に詳述する脚部ガスケットシステムと組み合わせた、本明細書に詳述する腰部ガスケット要素８１の１つの利点は、身体排出物（例えば、糞便物質）を封入するためにレッグカフ及び腰部領域内に追加の空隙容量を提供する、追加のポケット付き領域（４７及び９３）である。着用者が動作を行うと、身体排出物の一部は、着用者の背中と吸収性物品の後側腰部領域との間から漏れ出し得る前に、腰部ガスケット要素ポケット９３内に移動して封入され、２層の不織布の間に保持／捕捉される。したがって、本明細書に詳述する腰部ガスケット要素８１は、漏れを低減させる。更に、腰部ガスケット要素ポケット９３は、腰部領域内に更なる間隙容量を提供して糞便物質を受容し、このことは着用者の皮膚からの糞便物質の分離に役立つ。
【００７３】
更に、腰部ガスケット要素ポケット９３は脚部ガスケットシステムポケット４７と共に機能して、吸収性物品内に更なる間隙容量を提供し、糞便物質を受容する、及び／又は糞便物質が脚部ガスケットシステムポケット開口部５１を見つけるためにより容易な経路を提供する。腰部ガスケット要素８１内での任意の弾性材料（例えば、以下に詳述する脚部弾性部８７）のガスケット動作は、腰部ガスケット要素８１の内側横方向縁部８２を持ち上げて、吸収性物品のシャーシ２２からから離すように機能してよい。腰部ガスケット要素８１の長手方向縁部結合部８６は、腰部ガスケット要素を脚部ガスケットシステム７０の内側カフ７１及び／又は外側カフ７４に取り付ける。したがって、腰部ガスケット要素８１内の任意の弾性材料（例えば、脚部弾性部８７）のガスケット動作はまた、脚部ガスケットシステム７０の内側カフ７１及び／又は外側カフ７４を持ち上げて、シャーシ２２から離すように機能してもよく、それにより、脚部ガスケットシステムポケット５１の開口部５１を拡大してよい。脚部ガスケットシステムポケット５１の開口部５１を拡大すると、ポケットは、より容易に糞便物質を受容できる。
【００７４】
理論に束縛されるものではないが、腰部ガスケット要素８１は、本発明の多数の態様によって形成される、身体に対する封止部を提供できる。第１に、腰部ガスケット要素８１は伸縮性であり、使用中は張力を受けるように設計されている。使用中の張力は、介護者がぴったりフィットさせようとする、製品を適用するプロセスにおいて介護者によってもたらされる。キャプスタン効果により、適用中にもたらされた張力及び身体の半径は、腰部ガスケット要素と身体との間に、身体に対して垂直方向である力をもたらす。腰部ガスケット要素８１と身体との間の垂直力は、身体排出物に腰部ガスケット要素８１とシャーシ又はトップシートとの間を移動させ、身体排出物を腰部ガスケット要素ポケット９３に押し込める最初の封止部をもたらす。更に、速やかに排泄された身体排出物は、身体排出物を吸収性物品２０全体に分配する圧力を有することが既知である。身体排出物が腰部ガスケット要素８１とシャーシ２２との間で捕捉されると、次いで、身体排出物から形成された圧力は、身体に対して腰部ガスケット要素８１を更に封止するように作用し、上記のキャプスタン効果による垂直力に加え、更に優れた封止部を形成する。腰部ガスケット要素８１は身体に対して封止されるため、身体排出物はそこから逃げ出すことができず、次いで、一定量の身体排出物は、横方向に脚部ガスケットシステムポケット４７へと押し込まれて収容される。
【００７５】
身体に対する腰部ガスケット要素８１の封止をもたらすキャプスタン効果から最大限の効果を達成するためには、脚部ガスケットシステムは、理想的には、連続的な凸面、若しくは連続的な円筒形状、又はこれらの近似形状を有する身体の領域に位置付けられるべきである。身体面が、いずれかの時点で凹状、つまり「谷状」になると、腰部ガスケット要素８１は、身体と腰部ガスケット要素との間に適切な封止部を形成できなくなる。これにより、排泄物は、身体と腰部ガスケット要素８１との間の空間から逃げ出すことができる。したがって、身体が確実に正しい形状を有して、封止部を十分に形成できるように、腰部ガスケット要素８１は、殿溝よりも上方に位置付けることが重要である。理想的には、腰部ガスケット要素８１は、殿溝の最頂部、殿溝の１０ｍｍ上方、殿溝の２５ｍｍ上方、又は殿溝の５０ｍｍ上方に位置付けられ得る。
【００７６】
加えて、シャーシ２２が身体にぴったりフィットしない場合でも腰部ガスケット要素が接触を保てるように、腰部ガスケット要素８１を十分に高くすることは有用であり得る。更に、十分な量の身体排出物が腰部ガスケット要素ポケット９３に存在できるように、このポケットに十分な間隙容量をもたらすことは有用であり得る。腰部ガスケット要素８１が、確実に十分に殿溝の上方にあり、かつ十分に高くて身体を封止し、十分な間隙容量を形成するためには、吸収性物品２０の最上部に、腰部縁部１３、１４の付近、若しくはこれに隣接して、又は、腰部縁部のできるだけ近くに腰部ガスケット要素を位置付けることが有利である。高速おむつ製造用途では、材料配置が変動するため、製造プロセスにおいて、腰部ガスケット要素８１の一部が最初の吸収性物品に取り付けられ、残りが次の吸収性物品に取り付けられるように、製造プロセスの一環として腰部ガスケット要素８１を切り離すことができるような方法で、腰部ガスケット要素８１を位置付けることが必要な場合がある。これにより、腰部ガスケット要素８１の上縁部が、腰部縁部１３、１４と確実に隣接する。したがって、腰部ガスケット要素８１は、吸収性物品の腰部縁部より下に離間しない。他の実施形態では、腰部ガスケット要素８１の外側横方向縁部８３は、シャーシ２２の第２腰部縁部１４の５ｍｍ内側に配置され、一方、一部の実施形態では、腰部ガスケット要素の外側横方向縁部８３は、シャーシ２２の腰部縁部１３、１４から少なくとも１０ｍｍ内側、シャーシの腰部縁部から少なくとも２０ｍｍ内側、シャーシの腰部縁部から少なくとも５０ｍｍ内側、又はシャーシの腰部縁部から約２ｍｍ〜約１００ｍｍの範囲内の任意の範囲若しくは距離の内側に配置される。
【００７７】
一部の実施形態では、腰部ガスケット要素ポケット９３は、ポケット９３の少なくとも一部（例えば、ポケットの全体）が、ポケット９３の機能を示すものとして使用前に着用者又は介護者に見えるように、ポケットの外周の少なくとも一部（例えば、ポケットの全外周）を画定する熱接合又は圧着を含む。
【００７８】
更に別の実施形態では、腰部ガスケット要素ポケット９３は、ポケット９３の少なくとも一部（例えば、ポケットの全体）が、ポケット９３の機能を示すものとして使用前に着用者又は介護者に見えるように、ポケットの外周の少なくとも一部（例えば、ポケットの全外周）を画定する接着剤又は結合部を含む。
【００７９】
別の実施形態では、低表面張力裏抜け又は静水頭など疎水性は、排出物が腰部ガスケット要素を備える材料を通って漏れないような方法で、腰部ガスケット要素８１の少なくとも一部又は腰部ガスケット要素の全体で増加し得る。したがって、これにより、収容された糞便物質を着用者から分離し続ける。疎水性の増加は、疎水性コーティング、インク、接着剤、シリコーン、追加材料、若しくはこれらの組み合わせを適用することによって、又は当該技術分野において周知の他の手段によって達成できる。更に、腰部ガスケット要素にＮ繊維材料を含んで、本明細書に詳述するレッグカフに関連するものとして類似の利点をもたらしてよい。
【００８０】
一実施形態では、腰部ガスケット要素８１及び脚部ガスケットシステム７０は同じ色である。一実施形態では、腰部ガスケット要素８１及び脚部ガスケットシステム７０は違う色である。一実施形態では、腰部ガスケット要素８１には追加の印刷が存在する。
【００８１】
別の実施形態では、腰部ガスケット要素８１は、使用前に利点を示すように、腰部ガスケット要素ポケット９３の少なくとも一部の輪郭を描く、つまりこれを画定する印刷区域を含む。
【００８２】
一実施形態では、腰部ガスケット要素８１は、腰部ガスケット要素８１の内側横方向縁部８２と外側横方向縁部８３との間に長手方向配列で位置付けられた弾性部材８７を含む。図７に示すように、弾性部８７は、弾性接着剤８８によって腰部ガスケット要素８１を形成する材料ウェブの一部に取り付けられる。かかる実施形態では、弾性部は、１）腰部ガスケット要素の折り畳まれた縁部８９と腰部ガスケット要素の第１材料縁部９０との間の材料ウェブの一部と、２）腰部ガスケット要素の折り畳まれた縁部８９と腰部ガスケット要素の第２材料縁部９１との間の材料ウェブの一部と、の間に位置付けられる。腰部ガスケット要素８１は、少なくとも２つの弾性部材８７、少なくとも３つの弾性部材８７、少なくとも４つの弾性部材８７、少なくとも５つの弾性部材８７、少なくとも６つの弾性部材８７、少なくとも７つの弾性部材８７、少なくとも８つの弾性部材８７、少なくとも９つの弾性部材８７、少なくとも１０の弾性部材８７、少なくとも１１の弾性部材、少なくとも１２の弾性部材８７を備えてよい。
【００８３】
一実施形態では、弾性部材８７は、部材の一方の縁部から他方の縁部まで少なくとも２ｍｍ、任意選択的に少なくとも３ｍｍ、任意選択的に少なくとも３．５ｍｍ、任意選択的に少なくとも４ｍｍ、任意選択的に少なくとも４．５ｍｍ、任意選択的に少なくとも５ｍｍ、任意選択的に少なくとも５．５ｍｍ、任意選択的に少なくとも６ｍｍ、任意選択的に少なくとも６．５ｍｍ、任意選択的に少なくとも７ｍｍ、任意選択的に少なくとも７．５ｍｍ、任意選択的に少なくとも８ｍｍ、任意選択的に少なくとも８．５ｍｍ、任意選択的に少なくとも９ｍｍ、任意選択的に少なくとも９．５ｍｍ、任意選択的に少なくとも１０ｍｍ、任意選択的に少なくとも１０．５ｍｍ、任意選択的に少なくとも１１ｍｍ、任意選択的に少なくとも１１．５ｍｍ、任意選択的に少なくとも１２ｍｍ離間している。一実施形態では、最も内側の弾性部材８７は、腰部ガスケット要素の折り畳まれた縁部８９から約２ｍｍ未満、任意選択的に約１．５ｍｍ未満、約１ｍｍ未満である。一実施形態では、最も外側の弾性部材８７は、外側横方向縁部８３から約２ｍｍ未満、任意選択的に約１．５ｍｍ未満、約１ｍｍ未満である。
【００８４】
一実施形態では、腰部ガスケット要素８１は、それぞれ約４ｍｍ離れている４つの弾性部材８７を有する。腰部ガスケット要素８１は、約２ｍｍ／７ｍｍ／２ｍｍ離れている４つの弾性部材を有してよい。腰部ガスケット要素８１は、約６．５ｍｍ／７．５ｍｍ／９ｍｍ／１１ｍｍ離れている５つの弾性部材を有してよい。腰部ガスケット要素８１は、それぞれ約６ｍｍ離れている３つの弾性部材８７を有してよい。腰部ガスケット要素８１は、約１２ｍｍ離れている２つの弾性部材８７を有してよい。腰部ガスケット要素８１は、内側横方向縁部８２から約３ｍｍ／６ｍｍ／１０ｍｍ／２０ｍｍ／３０ｍｍ離間している４つの弾性部材を有してよい。一部の実施形態では、弾性部材は、内側横方向縁部８２から約２ｍｍ、又は外側の内側横方向縁部８２から約０ｍｍであってよい（又は内側の折り畳まれた縁部８９に直接隣接するように配置されてよい）。
【００８５】
一実施形態では、弾性部材８７は、少なくとも５０％、任意選択的に少なくとも９５％、任意選択的に少なくとも１５０％、任意選択的に少なくとも２００％、任意選択的に少なくとも２５０％、任意選択的に少なくとも３００％、任意選択的に少なくとも３５０％、又は約５０％〜約３５０％の範囲内の任意の範囲距離の予歪みレベルを有する。予歪みレベルは、弾性部が弾性接着剤で腰部ガスケット要素８１の材料ウェブに貼り付けられる前に加えられる歪みの量である。一部の実施形態では、各弾性部材８７の予歪みレベルは同一であり得、他の実施形態では、予歪みレベルは、弾性部ごとに異なり得る。好ましい一実施形態では、内側横方向縁部８２に近接する弾性部材の予歪みは、外側横方向縁部９０に近接する弾性部材の予歪みレベルよりも高いことがある。この好ましい実施形態では、内側横方向縁部８２の収縮レベルは、外側横方向縁部９０の収縮レベルよりも大きい。
【００８６】
一実施形態では、腰部ガスケット要素８１は、その弛緩状態から横方向に少なくとも１５ｍｍ、３５ｍｍ、４０ｍｍ、５０ｍｍ、６０ｍｍ、７０ｍｍ、８０ｍｍ、又は更には最大１００ｍｍ、又は約１５ｍｍ〜約１００ｍｍの範囲内の任意の範囲若しくは距離伸長する能力を有する。
【００８７】
一実施形態では、デシテックス（ｇ／ｍｍ）タイプは、腰部ガスケット要素８１の弾性部によって異なり得る。好ましい一実施形態では、内側横方向縁部８２に近接する弾性部材のデシテックス（ｇ／ｍｍ）は、外側横方向縁部９０に近接する弾性部材のデシテックス（ｇ／ｍｍ）よりも高いことがあり得る。この実施形態では、横方向内側縁部８２に近接する収縮力は、横方向外側縁部９０での収縮力よりも高い。
【００８８】
腰部ガスケット要素の弾性部８７は部分的にのみ広げられるが、吸収性物品２０のシャーシは完全に広げられるとき、腰部ガスケット要素８１は、シャーシ２２及び脚部ガスケットシステム７０に取り付けられてよい。加えて、一実施形態では、対応する腰部領域が横方向に完全に広げられるとき、腰部ガスケット要素８１は完全に広げられてよい。別の実施形態では、対応する腰部領域が完全に広げられるとき、腰部ガスケット要素は、完全に広げられなくてよい。換言すると、一部の実施形態では、腰部ガスケット要素８１がシャーシ２２及び脚部ガスケットシステム７０に取り付けられ、シャーシの材料が完全に広げられるときに、腰部ガスケット要素８１のウェブ材料には、少なくともいくつかのギャザーがまだ存在する。取り付けられると、腰部ガスケット要素８１の弾性部８７は、部分拡大状態から弛緩状態へと後退してよい。このように腰部ガスケット要素８１をシャーシ２２に取り付けると、使用中に吸収性物品の腰部領域が完全に広げられたときに、腰部ガスケット要素８１は部分的にしか広がらない。換言すると、一部の実施形態では、ユーザーが使い捨て吸収性物品２０の腰部領域を完全に広げても、腰部ガスケット要素８１のウェブ材料には少なくともいくつかのギャザーがまだ存在する。
【００８９】
本明細書に記載の腰部ガスケット要素８１は、第２腰部領域３８に位置するものとしてのみ具体的に詳述したが、一部の実施形態では、腰部ガスケット要素は、第１腰部領域３６に存在してよい。一部の実施形態では、本明細書に詳述する腰部ガスケット要素８１は、第１腰部領域３６及び第２腰部領域３８の両方に含まれてよい。例えば、うつ伏せで（前面を下にして）眠る着用者は、睡眠中に前側腰部から尿が漏出するのを阻止するために、前側腰部領域に位置する腰部ガスケット要素８１から恩恵を受けることがある。後側腰部領域に位置する腰部ガスケット要素と同様に、前側腰部領域（即ち、第１腰部領域３６）にある腰部ガスケット要素はまた、脚部ガスケットシステムポケットと共に機能して、必要に応じて尿を収容して、製品の前側から漏れないようにすることができる。
【００９０】
構成材料：
脚部ガスケットシステム７０は、ポリプロピレン、ポリエステル、レーヨン、ナイロン、発泡体、プラスチックフィルム、成形フィルム、及び弾性フィルムなど、多種多様の材料から製造され得る。脚部ガスケットシステム７０はまた、所望により、吸収性接着剤を含む吸収性材料を含んでもよい。脚部ガスケットシステム７０を製造するために、複数の製造技術が使用され得る。例えば、脚部ガスケットシステム７０は、織布加工、不織布加工、スパンボンド、カーディングなどが施されてよい。
【００９１】
一実施形態では、脚部ガスケットシステム７０の少なくとも１つの材料は、実質的に液体不透過性材料から作製される。材料は、ＳＭＳ不織布材料、ＳＭＭＳ不織布材料、又は「Ｎ繊維」を含む不織布構成要素層からなる群から選択されてもよい。
【００９２】
様々な不織布繊維ウェブが、スパンボンド、メルトブローン、スパンボンド（ＳＭＳ）ウェブを含み得るが、これは、スパンボンド熱可塑性物質（例えばポリオレフィン）の外側層と、メルトブローン熱可塑性物質の内側層とを備えるものである。本発明の一実施形態では、脚部ガスケットカフ７０は、他の不織布構成要素層に添加されるか又はそれと他の方法で組み込まれて、不織布材料ウェブを形成する、１マイクロメートル未満の平均直径の細い繊維（「Ｎ繊維」）を有する不織布構成要素層（「Ｎ繊維層」）を含む。一部の実施形態においては、Ｎ繊維層は、例えば、ＳＮＳ不織布ウェブ又はＳＭＮＳ不織布ウェブを生産するために使用されてもよい。
【００９３】
脚部ガスケットカフ７０は、約８マイクロメートル〜約３０マイクロメートルの範囲の平均直径を有する繊維を含む第１不織布構成要素層と、約１マイクロメートル未満の数平均直径、約１．５マイクロメートル未満の質量平均直径、及び約２未満である質量平均直径と数平均直径の比を有する第２不織布構成要素層と、約８マイクロメートル〜約３０マイクロメートルの範囲の平均直径を有する繊維を含む第３不織布構成要素層と、を備え得る。第２不織布構成要素層は、第１不織布構成要素層と第３不織布構成要素層との中間に配置される。
【００９４】
Ｎ繊維は、例えば、ＰＥＴ及びＰＢＴを含むポリエステル、ポリ乳酸（ＰＬＡ）、アルキド類、ポリプロピレン（ＰＰ）、ポリエチレン（ＰＥ）、及びポリブチレン（ＰＢ）を含むポリオレフィン、エチレン及びプロピレン由来のオレフィンコポリマー、熱可塑性ポリウレタン（ＴＰＵ）及びスチレンブロックコポリマー（種々の種類のＫｒａｔｏｎなどの線状及び放射状ジ−及びトリ−ブロックコポリマー）を含むエラストマー性ポリマー、ポリスチレン、ポリアミド、ＰＨＡ（ポリヒドロキシアルカノエート）及び例えば、ＰＨＢ（ポリヒドロキシブチレート）、並びに熱可塑性デンプンを含むデンプン系組成物から選択される、例えばポリマーを含んでいてよい。上述のポリマーは、ホモポリマー、コポリマー、例えば、エチレン及びプロピレンのコポリマー、混合物、並びにそのアロイとして使用されてもよい。Ｎ繊維層は、例えば、熱点結合とも呼ばれるカレンダー結合プロセスなどの任意の好適な結合技術によって、他の不織布構成要素層に結合され得る。
【００９５】
一部の実施形態において、不織布ウェブ中にＮ繊維層を使用することにより、疎水性コーティング又は疎水性溶解添加物で処理された他の不織布ウェブと同じぐらいの高さの低表面張力バリアをもたらし、かつ依然として低坪量（例えば、１５ｇｓｍ未満、又は代替的に１３ｇｓｍ未満）を維持することができる。またＮ繊維層を使用することにより、少なくとも一部の実施形態では、以前は二重ウェブ層構成を使用した用途において、単一ウェブ層の構成で使用され得る柔らかい通気性（即ち、空気透過性）の不織布材料が提供され得る。更に、一部の実施形態において、Ｎ繊維層を使用することにより、ウェブへの親水性界面活性剤の望ましくない移動を少なくとも低減することができるため、結局のところ、関連する吸収性物品に対してより良好な漏れ防止性をもたらすことができる。また、同様の坪量を有するＳＭＳウェブと比較して、Ｎ繊維層を有する不織布ウェブを使用することにより、機械的結合プロセス中に生じる欠陥（即ち、機械的結合部位を通る孔又はピンホール）の数を減少させ得る。Ｎ繊維は、国際公開第２００５／０９５７００号及び米国特許出願第１３／０２４，８４４号に更に説明されている。
【００９６】
一実施形態では、内側カフの材料ウェブは、約２ｍｂａｒ超、約３ｍｂａｒ超、約４ｍｂａｒ超の静水頭を有する。一実施形態では、外側カフ７４の材料ウェブは、約２００ｍｂａ未満、約１００ｍｂａｒ未満、約７５ｍｂａｒ未満、約５０ｍｂａｒ未満、約２５ｍｂａｒ未満、約１５ｍｂａｒ未満の静水頭を有する。
【００９７】
一実施形態では、内側カフ７１の材料ウェブは、約１５％〜約５０％のハンター不透明度、任意選択的に約２０％〜約４５％のハンター不透明度を有する。一実施形態では、外側カフ７４の材料ウェブは、約４５％〜約７５％のハンター不透明度、任意選択的に約５０％〜約７０％のハンター不透明度、任意選択的に約７５％未満のハンター不透明度、任意選択的に約７０％未満のハンター不透明度を有する。
【００９８】
一実施形態では、内側カフ７１の材料ウェブは、約５０ｍ３／ｍ２／分未満、任意選択的に約４５ｍ３／ｍ２／分未満（les than）の空気透過率を有する。一実施形態では、外側カフ７４の材料ウェブは、約５ｍ３／ｍ２／分超、任意選択的に約１０ｍ３／ｍ２／分超、任意選択的に約１５ｍ３／ｍ２／分超、任意選択的に約２０ｍ３／ｍ２／分超の空気透過率を有する。
【００９９】
一実施形態では、内側カフ７１の材料ウェブは、約５５００ｇ／ｍ２／２４時間未満、任意選択的に約５４００ｇ／ｍ２／２４時間未満のＷＶＴＲを有する。一実施形態では、外側カフ７４の材料ウェブは、約４２５０ｇ／ｍ２／２４時間超、任意選択的に約４５００ｇ／ｍ２／２４時間超、任意選択的に約５０００ｇ／ｍ２／２４時間超、任意選択的に約５２５０ｇ／ｍ２／２４時間超、任意選択的に約５５００ｇ／ｍ２／２４時間超のＷＶＴＲを有する。
【０１００】
ガスケットカフ７０は、実質的に非弾性であってもよく、又は弾性的に延伸性であって、着用者の脚部に動的に適合してもよい。ガスケットカフ７０は、トップシート２４、バックシート２６、又は吸収性物品２０の形成に使用される任意の他の好適な基材に動作可能に接合される、１つ以上の弾性部材７７及び７８（弾性ストランドなど）により形成されてもよい。好適なガスケットカフ構成は、米国特許第３，８６０，００３号に更に記載されている。
【０１０１】
内側バリアカフ７１は、吸収性物品２０の長手方向の長さ全体にわたってもよい。内側バリアカフ７１は、フラップ及び弾性部材７８（弾性ストランドなど）により形成されてよい。内側バリアカフ７１は、吸収性物品２０を形成する既存の材料又は要素のいずれかから連続した延長部であってもよい。
【０１０２】
内側バリアカフ７１は、プラスチックフィルム、並びに天然繊維（例えば、木材又は綿繊維）、合成繊維（例えば、ポリエステル又はポリプロピレン繊維）、又は天然繊維及び合成繊維の組み合わせの織布又は不織布ウェブなどの種々の基材を含んでよい。ある実施形態では、フラップは、スパンボンドウェブ、メルトブローンウェブ、カードウェブ及びこれらの組み合わせ（例えば、スパンボンド−メルトブローン複合材料及び変異型）など不織布ウェブを含んでよい。前述した基材の積層体を使用してフラップを形成してもよい。特に好適なフラップは、ＢＢＡ  Ｆｉｂｅｒｗｅｂ（Ｂｒｅｎｔｗｏｏｄ，ＴＮ）から供給元コード３０９２６として入手可能な不織布を含み得る。特に好適な弾性部材は、Ｉｎｖｉｓｔａ（Ｗｉｃｈｉｔａ、ＫＳ）から供給元コードＴ２６２Ｐとして入手可能である。内側バリアカフを有するおむつ及びかかるバリアカフの好適な構成の更なる説明は、米国特許第４，８０８，１７８号及び同第４，９０９，８０３号に見出すことができる。弾性部材７８は、内側バリアカフ７１の長手方向長さにわたってよい。他の実施形態では、弾性部材７８は、股部領域３７内の内側バリアカフ７１の少なくとも長手方向長さにわたってよい。弾性部材７８は、通常の着用時に、内側バリアカフ７１が着用者と接触したままであるように、したがって内側バリアカフ７１のバリア特性を強化するように、十分な弾性を示すことが望ましい。弾性部材７８は、対向する長手方向末端部でフラップに接続されてよい。ある実施形態において、フラップは、弾性部材７８を取り囲むようにそれ自身の上に折り畳まれてよい。
【０１０３】
内側バリアカフ７１及び／又は外側カフ７４は、トップシートについて上述したように、ローションで全体若しくは一部が処理されてもよく、又は米国特許出願第１１／０５５，７４３号（２００５年２月１０日出願）に詳述されているように疎水性表面コーティングで完全に若しくは部分的にコーティングされてもよい。本明細書で有用な疎水性表面コーティングには、非水性、無溶媒、多成分シリコーン組成物が挙げられてよい。シリコーン組成物は少なくとも１種類のシリコーンポリマーを含み、かつアミノシリコーンを実質的に含まない。特に好適な疎水性表面コーティングは、供給元コード００１００２４８２０として、Ｄｏｗ  Ｃｏｒｎｉｎｇ（ＭＩ，Ｓａｌｚｂｕｒｇ）から入手可能である。
【実施例】
【０１０４】
【表１】
2018512212.tif 000003
＊結果はある標準偏差の平均±１として表示されている。
＊プロトタイプのＮ繊維は、Ｐｏｌｙｍｅｒ  Ｇｒｏｕｐ  Ｉｎｃから入手可能な１３ｇｓｍのＳＭＮＳである。
＊プロトタイプのＳＭＳは、ＦｉｂｅｒｔｅｘからＣｏｍｆｏｒｔ  Ｌｉｎｅで入手可能な１５ｇｓｍのＳＭＳ（スパンボンド−メルトブローン−スパンボンド）不織布である。
【０１０５】
試験方法：
不透明度の方法
不透明度は、コンピュータインタフェースを備える、０°照明／４５°検出、環状の光学的形状の分光光度計、例えばＨｕｎｔｅｒＬａｂ  ＬａｂＳｃａｎ  ＸＥ  ｒｕｎｎｉｎｇ  Ｕｎｉｖｅｒｓａｌ  Ｓｏｆｔｗａｒｅ（Ｈｕｎｔｅｒ  Ａｓｓｏｃｉａｔｅｓ  Ｌａｂｏｒａｔｏｒｙ  Ｉｎｃ．（Ｒｅｓｔｏｎ、ＶＡ）から入手可能）又は同等の機器を使用して測定される。機器校正及び測定は、販売元によって提供されている標準白黒校正プレートを使用して行う。全ての試験は、２３±２℃、相対湿度５０±２％に維持された室内で行う。
【０１０６】
標準に設定したＵＶフィルタと共に、分光光度計を、ＸＹＺカラースケール、Ｄ６５光源、１０°標準観測者に対して構成する。製造者の手順に従い、１．８ｃｍ（０．７インチ）ポート寸法及び１．３ｃｍ（０．５インチ）視野域を使用して計器を標準化する。校正後、ソフトウェアはＹ不透明度手順に設定され、これは測定中に白又黒のいずれかの校正タイルで試料を覆うようにオペレータを促す。
【０１０７】
約２３℃±２℃及び約５０％±２％の相対湿度で、試験前に約２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中間点において選択する。鋏を使用して、試験片を６０ｍｍの長さ×（左のカフの長手方向の中間点において、中心に置かれた）内側カフの高さ全体に切断する。次に、第２の試験片（今回は外側カフから）を、６０ｍｍの長さ×（左の外側カフの長手方向の中間点において、中心に置かれた）外側カフの高さ全体に切断する。同様の方式で内側及び外側カフの試験片を物品の右側上のカフから用意する。
【０１０８】
試験片を測定ポートに被せて置く。試験片は、カフの内側を向いた表面に対応する表面がポートの方を向いた状態で、ポートを完全に覆っている必要がある。試験片がその長手方向にピンと張った状態となるまで、緩やかに延伸させて、カフが、ポートのプレートに対して平らに置かれるようにする。接着テープを貼って、カフが試験のための延伸状態でポートプレートに対して固定されるようにする。テープは測定ポートのいずれの部分も覆ってはならない。次いで、試験片を、白い標準プレートで覆う。表示を読み取り、次いで白いタイルを取り除き、試験片を動かさないで、黒い標準タイルと交換する。２回目の表示を読み取り、不透明度を以下のように計算する：
不透明度＝（Ｙ値（黒色裏材）／Ｙ値（白色裏材））×１００
【０１０９】
５つの同じ物品からの試験片（１０の内側カフ（左側から５つ、右側から５つ）並びに１０の外側カフ（左側から５つ、右側から５つ））を分析し、それらの不透明度を記録する。内側カフ及び外側カフの平均不透明度を計算し、それぞれ０．０１％単位で別々に記録する。
【０１１０】
水蒸気透過度法
水蒸気透過度（ＷＶＴＲ）を湿潤カップ手法を使用して測定する。円筒形のカップに水を充填し、水の表面と、カップの上方開口部の上で封止された試料との間で一定のヘッドスペースを維持する。組み立てたカップをオーブンで特定時間加熱した後、蒸気の損失を重力測定的に測定する。全ての試験は、２３℃±２℃及び相対湿度５０％±２％で維持された室内で行う。
【０１１１】
試験前に、２３℃±２℃、及び５０％±２％の相対湿度で２時間、物品を予め調整する。物品を身体に面する表面を上にして作業台に平らに伸ばし、物品の合計長手方向長さを測定する。内側及び外側カフ上の試験部位は、物品の長手方向の中間点において選択する。鋏を使用して、試験片を６０ｍｍの長さ×（左のカフの長手方向の中間点において、中心に置かれた）内側カフの高さ全体に切断する。次に、第２の試験片（今回は外側カフから）を、６０ｍｍの長さ×（左の外側カフの長手方向の中間点において、中心に置かれた）外側カフの高さ全体に切断する。同様の方式で物品の右側のカフから内側及び外側カフの試験片を用意する。
【０１１２】
ＷＶＴＲ試験バイアル瓶として、高さ９５ｍｍ、開口部が１７．８ｍｍの内径を有するガラス製の、直線的な壁部を有する円筒バイアル瓶を使用する。試験用バイアル瓶はそれぞれ、バイアル瓶の開口部の上方縁部から２５．０ｍｍ±０．１ｍｍのレベルまで、正確に蒸留水を充填する。カフの内側に面する表面を下向きにしてバイアル瓶の開口部の上に試料を配置する。試料を静かに引張り、弾性バンドを用いてバイアル瓶の円周部の周囲に固定する。バイアル瓶の円周部の周囲に、テフロンテープを巻くことによって、試料を更に封止する。好ましいテフロンテープは、ＭｃＭａｓｔｅｒ  Ｃａｒｒから入手可能なスレッドシーラントテープ０．６４ｃｍ（０．２５インチ）幅（カタログ番号４５９１Ｋ１１）又は等価物である。テフロンテープをバイアル瓶の上方縁部に適用するが、バイアル瓶の開口部のいずれの部分も覆ってはならない。バイアルアセンブリのまとまり（バイアル瓶＋試料＋封緘テープ）を０．０００１グラム単位で計量する。これが開始質量である。
【０１１３】
バイアル瓶のアセンブリを上向きにしてメカニカル対流式オーブン内（例えば、ＴｈｅｒｍｏＳｃｉｅｎｔｉｆｉｃから入手可能なＬｉｎｄｂｅｒｇ／ＢｌｕｅＭオーブン又は等価物）に配置し、２４時間、３８±１℃に維持し、バイアル瓶内の水と試料とが接触しないよう注意する。２４時間が経過した後、バイアル瓶のアセンブリをオーブンから取り出し、室温に戻す。各バイアル瓶のアセンブリの質量を０．０００１グラム単位まで測定する。これが最終質量である。
【０１１４】
以下の式を使用して、ＷＶＴＲを計算する：
ＷＶＴＲ（ｇ／ｍ２／２４時間）＝（［開始質量（ｇ）−最終質量（ｇ）］／表面積（ｍ２））／２４時間
【０１１５】
５つの同じ物品からの試料（１０の内側カフ（左側から５つ、右側から５つ）並びに１０の外側カフ（左側から５つ、右側から５つ））を分析し、それらのＷＶＴＲ結果を記録する。内側カフ及び外側カフの平均ＷＶＴＲをそれぞれ１ｇ／ｍ２／２４時間単位で記録する。
【０１１６】
空気透過率試験
特注の１ｃｍ２の円形アパーチャ（Ａｄｖａｎｃｅｄ  Ｔｅｓｔｉｎｇ  Ｉｎｓｔｒｕｍｅｎｔｓから入手可能）を備える、ＴｅｘＴｅｓｔ  ＦＸ３３００  Ａｉｒ  Ｐｅｒｍｅａｂｉｌｉｔｙ  Ｔｅｓｔｅｒ（Ａｄｖａｎｃｅｄ  Ｔｅｓｔｉｎｇ  Ｉｎｓｔｒｕｍｅｎｔｓ（Ｇｒｅｅｒ、ＳＣ）から入手可能）又は同等の機器を使用して空気透過率の試験を行う。製造元の手順に従って機器を標準化する。全ての試験は、２３℃±２℃及び相対湿度５０％±２％で維持された室内で行う。
【０１１７】
約２３℃±２℃及び約５０％±２％の相対湿度で、試験前に約２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中間点において選択する。鋏を使用して、試験片を６０ｍｍの長さ×（左のカフの長手方向の中間点において、中心に置かれた）内側カフの高さ全体に切断する。次に、第２の試験片（今回は外側カフから）を、６０ｍｍの長さ×（左の外側カフの長手方向の中間点において、中心に置かれた）外側カフの高さ全体に切断する。同様の方式で内側及び外側カフの試験片を物品の右側上のカフから用意する。
【０１１８】
測定ポートに被さるように試験片を中心に置く。試験片は、カフの内側を向いた表面に対応する表面がポートの方を向いた状態で、ポートを完全に覆っている必要がある。試験片がピンと張った状態となるまで、その長手方向に緩やかに延伸させて、カフが、ポートをまたいで平らに置かれるようにする。接着テープを貼って、カフが試験のための延伸状態で、ポートをまたいで固定されるようにする。テープは測定ポートのいずれの部分も覆ってはならない。空気が試験片を通過できるように、試験圧力を設定する。不織布カフに関して、圧力は典型的に１２５Ｐａに設定し、フィルムを収容するカフに関しては典型的に２１２５Ｐａを使用する。試料リングを閉じて、測定値が機器の許容限度内にあるということを示す緑色を、範囲表示器が示すまで、測定範囲を調整する。空気透過率は０．１ｍ３／ｍ２／分単位で記録する。
【０１１９】
静水頭の試験
ＴｅｘＴｅｓｔ  ＦＸ３０００  Ｈｙｄｒｏｓｔａｔｉｃ  Ｈｅａｄ  Ｔｅｓｔｅｒ（Ａｄｖａｎｃｅｄ  Ｔｅｓｔｉｎｇ  Ｉｎｓｔｒｕｍｅｎｔｓ（Ｇｒｅｅｒ、ＳＣ）から入手可能）に、カスタムメイドの１．５ｃｍ２の円形測定ポート（同様に、Ａｄｖａｎｃｅｄ  Ｔｅｓｔｉｎｇ  Ｉｎｓｔｒｕｍｅｎｔｓから入手可能）を備え付けたものを使用して静水頭の試験を行う。測定ポートの周囲のガスケットと同じ寸法の２つの環状スリーブリングを、微細不織布用の標準的な保護スリーブ（Ａｄｖａｎｃｅｄ  Ｔｅｓｔｉｎｇ  Ｉｎｓｔｒｕｍｅｎｔｓから入手可能な部品、ＦＸ３０００−ＮＷＨ）から切り出す。続いて、クランプの際に試験片を保護するために、これらのスリーブリングを、ＴｅｘＴｅｓｔ製機器の、上側ガスケット及び下側ガスケットの試料対向面に、両面接着テープを用いて貼り付ける。製造元の手順に従って機器を標準化する。全ての試験は、約２３℃±２℃及び相対湿度約５０％±２％で維持された室内で行う。
【０１２０】
約２３℃±２℃及び約５０％±２％の相対湿度で、試験前に約２時間にわたって、物品を事前調整する。試験片を得るため、物品を作業台上で身体に面する表面を上にして平らに引き伸ばし、物品の長手方向の全長を測定する。内側及び外側カフ上の試験部位は、物品の長手方向の中間点において選択する。鋏を使用して、試験片を７０ｍｍの長さ×（左のカフの長手方向の中間点において、中心に置かれた）内側カフの高さ全体に切断する。次に、第２の試験片（今回は外側カフから）を、７０ｍｍの長さ×（左の外側カフの長手方向の中間点において、中心に置かれた）外側カフの高さ全体に切断する。同様の方式で内側及び外側カフの試験片を物品の右側のカフから用意する。
【０１２１】
上側のテストヘッドのポートに被さるように試験片を中心に置く。試験片は、カフの外側を向いた表面に対応する表面がポートの方を向いた状態で、ポートを完全に覆っている必要がある（即ち、内側を向いた表面は水に面することになる）。試験片がその長手方向にピンと張った状態となるまで、緩やかに延伸させて、カフが、上側の試験プレートに対して平らに置かれるようにする。接着テープを貼って、カフが試験のための延伸状態で試験プレートに対して固定されるようにする。テープは測定ポートのいずれの部分も覆ってはならない。
【０１２２】
ＴｅｘＴｅｓｔのシリンジに蒸留水を充填し、下側の試験プレートの測定ポートを通して蒸留水を加える。水位が下側ガスケットの頂部までくるように、充填を行う必要がある。上側のテストヘッドを機器の上に載置し、テストヘッドを下げて試験片の周囲を封止する。試験速度は、５０ｍｂａｒ以下の静水頭を有する試料に関しては、３ｍｂａｒ／分、５０ｍｂａｒより高い静水頭を有する試料に関しては６０ｍｂａｒ／分に設定する。試験を開始し、試験片表面を観察して、表面を透過する水滴を検出する。試料の表面に１つの滴が検出されたとき、又は圧力が２００ｍｂａｒを超えたときに試験を終了する。圧力を０．５ｍｂａｒ単位で記録する、又は浸透が検出されなかった場合は＞２００ｍｂａｒとして記録する。
【０１２３】
合計５つの同じ物品（１０個の内側カフ試験片、及び１０個の外側カフ試験片）を分析し、それらの静水頭値を記録する。内側カフ及び外側カフの平均静水頭を計算及び記録し、それぞれ０．１ｍｂａｒ単位で記録する。
【０１２４】
低表面張力流体裏抜け時間試験
低表面張力流体裏抜け時間試験を用いて、規定の速度で排出される低表面張力流体の所定量が、基準吸収性パッド上に設置されるウェブの試料（及び他の同等のバリア材料）に完全に浸透する時間を決定する。
【０１２５】
この試験に関して、基準吸収性パッドは、５プライのＡｈｌｓｔｒｏｍ等級９８９濾過紙（１０ｃｍ×１０ｃｍ）であり、試験流体は３２ｍＮ／ｍ低表面張力流体である。
【０１２６】
この試験は、例えば、粘性の低いＢＭなど低表面張力流体に対するバリアを提供するように意図されるウェブの低表面張力流体裏抜け性能（秒単位）を特徴付けるように設計される。
【０１２７】
Ｌｉｓｔｅｒ裏抜け試験機：この試験機は、ＥＤＡＮＡ  ＥＲＴ  １５３．０−０２の第６章に記載されるようなものであり、以下の例外を有する：裏抜けプレートは、１０．０ｍｍ長さ及び１．２ｍｍスロット幅を有する細いスロットを備え、６０°の角度の付いた３つのスロットの星型開口部を有する。この装置は、Ｌｅｎｚｉｎｇ  Ｉｎｓｔｒｕｍｅｎｔｓ（Ａｕｓｔｒｉａ）及びＷ．Ｆｒｉｔｚ  Ｍｅｔｚｇｅｒ  Ｃｏｒｐ（ＵＳＡ）から入手可能である。１００秒後にタイムアウトしないように、単位を設定する必要がある。
【０１２８】
基準吸収性パッド：１０ｃｍ×１０ｃｍ面積において、Ａｈｌｓｔｒｏｍ等級９８９濾過紙が使用される。平均裏抜け時間は、３２ｍＮ／ｍ試験流体を用いて、
ウェブ試料なしで、５層の濾過紙において３．３＋０．５秒である。濾過紙は、Ｅｍｐｉｒｉｃａｌ  Ｍａｎｕｆａｃｔｕｒｉｎｇ  Ｃｏｍｐａｎｙ，Ｉｎｃ．（ＥＭＣ）（７６１６  Ｒｅｉｎｈｏｌｄ  Ｄｒｉｖｅ  Ｃｉｎｃｉｎｎａｔｉ，ＯＨ  ４５２３７）から購入することができる。
【０１２９】
試験流体：３２ｍＮ／ｍ表面張力流体は、蒸留水及び０．４２＋／−０．００１ｇ／Ｌ  Ｔｒｉｔｏｎ−Ｘ  １００で調製する。全ての流体を周囲条件で保つ。
【０１３０】
電極−すすぎ液：０．９％塩化ナトリウム（ＣＡＳ  ７６４７−１４−５）水溶液（９ｇ  ＮａＣｌ／１Ｌ蒸留水）を使用する。
【０１３１】
試験手順
−全ての試験は、約２３℃±２℃及び相対湿度約５０％±２％で維持された室内で行う。Ａｈｌｓｔｒｏｍの濾過紙及び試験物品をこの制御された環境で２４時間と２時間、試験前に調整する。
全ての試験は、約２３℃±２℃及び相対湿度約５０％±２％で維持された室内で行う。Ａｈｌｓｔｒｏｍの濾過紙及び試験物品をこの制御された環境で２４時間と２時間、試験前に調整する。
−表面張力が３２ｍＮ／ｍ＋／−１ｍＮ／ｍであることを確認する。さもなければ、試験流体を再作製する。
−０．９％のＮａＣｌ水性電極すすぎ液体を調製する。
−以下のように５層を３２ｍＮ／ｍ試験流体で試験することによって、参照吸収性パッドの裏抜け目標（３．３＋／−０．５秒）が満たされていることを確認する。
−裏抜け試験装置のベースプレート上に５プライの基準吸収性パッドをきれいに積み重ねる。
−裏抜けプレートを５プライの上に設置し、プレートの中心が紙の中心上にあることを確認する。分配漏斗の下でこのアセンブリを中央に置く。
−裏抜け試験装置の上部のアセンブリが予め設定された停止点まで下げられていることを確認する。
−電極がタイマーに接続されていることを確認する。
−裏抜け試験装置を「オン」にし、タイマーをゼロにする。
−５ｍＬの固定容積ピペット及び先端部を用いて、５ｍＬの３２ｍＮ／ｍ試験流体を漏斗に分配する。
−（例えば、ユニットのボタンを押すことによって）漏斗のマグネチックバルブを開放して、５ｍＬの試験流体を排出する。流体の最初の流れは、電気回路を完成させ、タイマーを起動する。流体が基準吸収性パッド内に浸入し、裏抜けプレートの電極の水準を下回ると、タイマーが停止する。
−電子タイマーに示される時間を記録する。
−試験アセンブリを除去し、使用した参照吸収性パッドを廃棄する。電極を０．９％のＮａＣｌ水溶液ですすいで、それらを次の試験のために「準備」する。電極の上の凹所及び裏抜けプレートの裏を乾燥させ、かつ分配器の出口オリフィス及び濾過紙が置かれる下部プレート又はテーブル表面を拭き取る。
−参照吸収性パッドの裏抜け目標が満たされていることを確認するために、この試験手順を最低３回繰り返す。この目標が満たされない場合、この基準吸収性パッドは規格外であり得、使用されるべきではない。
−参照吸収性パッド性能が検証された後に、不織布ウェブ試料を試験し得る。
−試験前に、約２３℃±２℃、及び約５０％±２％の相対湿度で２時間、試験物品を予め調整する。試験片を得るため、物品を作業台上で身体に面する表面を上にして平らに引き伸ばし、物品の長手方向の全長を測定する。内側及び外側カフ上の試験部位は、物品の長手方向の中間点において選択する。鋏を使用して、試験片を７０ｍｍの長さ×（左のカフの長手方向の中間点において、中心に置かれた）内側カフの高さ全体に切断する。次に、第２の試験片（今回は外側カフから）を、７０ｍｍの長さ×（左の外側カフの長手方向の中間点において、中心に置かれた）外側カフの高さ全体に切断する。同様の方式で内側及び外側カフの試験片を物品の右側のカフから用意する。
−裏抜けプレートのポートを覆って、試験片を中心に置く。試験片は、ポートに対して向けられたカフの身体に面する表面に対応するその表面で、ポートを完全に覆わなくてはならない。試験片がその長手方向にピンと張った状態となるまで、緩やかに延伸させて、カフが、上側の試験プレートに対して平らに置かれるようにする。接着テープを貼って、カフが試験のための延伸状態で試験プレートに対して固定されるようにする。テープは測定ポートのいずれの部分も覆ってはならない。
−裏抜け試験装置の上部のアセンブリが予め設定された停止点まで下げられていることを確認する。
−電極がタイマーに接続されていることを確認する。裏抜け試験装置を「オン」にし、タイマーをゼロにする。
−上述のように起動する。
−３つの物品についてこの手順を繰り返す。６つ値の平均値をとり、３２ｍＮ／ｍ低表面張力裏抜け時間として０．１秒単位まで記録する。
【０１３２】
本明細書に開示した寸法及び値は、示された数値そのものに厳密に限定されるものとして理解すべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【０１３３】
「発明を実施するための形態」の中で引用された全ての文献は、関連部分において本明細書に参照により援用されている。いかなる文書の引用も、それが本発明に対する先行技術であることを認めるものとして解釈されるべきではない。本明細書における用語のいずれかの意味又は定義が、参照により組み込まれる文献における用語のいずれかの意味又は定義と対立する範囲においては、本明細書においてその用語に付与した意味又は定義を適用するものとする。
【０１３４】
本発明の特定の実施形態を図示し、記載してきたが、本発明の趣旨及び範囲から逸脱することなく他の様々な変更及び修正を実施できることは当業者には自明であろう。したがって、本発明の範囲内に含まれるそのような全ての変更及び修正は、添付の特許請求の範囲にて網羅することを意図したものである。
【０１３５】
引用された全ての文献は、関連部分において本明細書に参照により援用されている。いかなる文書の引用も、それが本発明に対する先行技術であることを認めるものとして解釈されるべきではない。
【０１３６】
本発明の特定の実施形態を図示し、記載してきたが、本発明の趣旨及び範囲から逸脱することなく他の様々な変更及び修正を実施できることは当業者には自明であろう。したがって、本発明の範囲内に含まれるそのような全ての変更及び修正は、添付の特許請求の範囲にて網羅することを意図したものである。
【図１】
2018512212.tif 000004
【図２】
2018512212.tif 000005
【図３】
2018512212.tif 000006
【図４】
2018512212.tif 000007
【図５】
2018512212.tif 000008
【図６】
2018512212.tif 000009
【図７】
2018512212.tif 000010
【図８】
2018512212.tif 000011
【図９】
2018512212.tif 000012
【図１０】
2018512212.tif 000013
【図１１】
2018512212.tif 000014
【国際調査報告】
2018512212.tif 000015
2018512212.tif 000016
2018512212.tif 000017